(57)【要約】  同一画素列（例えば、ＰＬｊ）内の任意の画素に設けられた２つの画素電極は、隣り合う２本のデータ信号線（例えば、１５Ｘ・１５Ｙ）の一方に接続されるかあるいは他方に接続されており、上記画素列（ＰＬｉ）において、連続する２個の画素を順次ブロックとしていくと、同一ブロックに属し、かつ列方向に隣り合う２つの画素（例えば、ＰＸ１・ＰＸ２）については、その一方に設けられる２つの画素電極が接続するデータ信号線と他方に設けられる２つの画素電極が接続するデータ信号線とが異なり、互いに異なるブロックに属し、かつ列方向に隣り合う２つの画素（例えば、ＰＸ２・ＰＸ３）については、その一方に設けられる２つの画素電極が接続するデータ信号線と他方に設けられる２つの画素電極が接続するデータ信号線とが同じであり、データ信号線には、基準電位以上の信号電位（＋）と基準電位以下の信号電位（−）とが、２水平期間ごとに交互に供給され、隣り合う２本のデータ信号線（例えば、１５Ｘ・１５Ｙ）の一方に基準電位以上の信号電位（＋）が供給される水平期間においては、他方に基準電位以下の信号電位（−）が供給される。こうすれば、２Ｈ／１Ｖ反転駆動を行う画素分割方式の液晶表示装置において、その表示品位を高めることができる。
2008139757.tif 000002
【特許請求の範囲】
【請求項１】
画素領域と、該画素領域を横切るように行方向に伸びる走査信号線と、列方向に伸びるデータ信号線と、データ信号線および走査信号線の交差部近傍に設けられ、該データ信号線および走査信号線に接続されたスイッチング素子と、列方向に隣り合う２つの画素領域の間隙に対応して設けられる保持容量配線とを備え、上記画素領域に２つの画素電極が設けられるとともにこれら画素電極それぞれが異なる保持容量配線と保持容量を形成するアクティブマトリクス基板であって、
列方向に並ぶ各画素領域に設けられた２つの画素電極はともに、隣り合う２本のデータ信号線の一方と該画素領域を横切る走査信号線との交差部近傍に設けられたスイッチング素子を介してこの一方のデータ信号線に接続されるか、あるいは上記２本のデータ信号線の他方と該画素領域を横切る走査信号線との交差部近傍に設けられたスイッチング素子を介してこの他方のデータ信号線に接続されており、
同一のデータ信号線と各走査信号線との交差部を、隣り合うｎ個（ｎは２以上）ごとにＡあるいはＢの組に交互に配していくとともに、行方向に隣り合う交差部を異なる組に配していくことで、データ信号線と走査信号線との交差部をＡおよびＢのいずれかの組に配し、
第１および第２のデータ信号線を上記隣り合う２本のデータ信号線とし、所定画素領域に設けられた２つの画素電極がともにスイッチング素子を介して第１のデータ信号線に接続されるものとし、上記所定画素領域の列方向に隣接する画素領域を隣接画素領域として、
上記隣接画素領域を横切る走査信号線と第１のデータ信号線との交差部が属する組が、上記所定画素領域を横切る走査信号線と第１のデータ信号線との交差部が属する組と同じであれば、該隣接画素領域が有する２つの画素電極はともにスイッチング素子を介して第２のデータ信号線に接続される一方、
上記隣接画素領域を横切る走査信号線と第１のデータ信号線との交差部が属する組が、上記所定画素領域を横切る走査信号線と第１のデータ信号線との交差部が属する組と異なれば、該隣接画素領域が有する２つの画素電極はともにスイッチング素子を介して第１のデータ信号線に接続されることを特徴とするアクティブマトリクス基板。
【請求項２】
上記スイッチング素子は第１および第２のトランジスタからなり、
上記２つの画素電極は、走査信号線の一方の側に位置する第１の画素電極と、走査信号線のもう一方の側に位置する第２の画素電極とからなり、
上記保持容量配線は、第１の画素電極に重なる第１の保持容量配線と第２の画素電極に重なる第２の保持容量配線とを含み、
上記第１および第２の画素電極はそれぞれ、第１および第２のトランジスタを介して同一のデータ信号線に接続されていることを特徴とする請求項１記載のアクティブマトリクス基板。
【請求項３】
請求項１記載のアクティブマトリクス基板と対向基板とを備えることを特徴とする液晶パネル。
【請求項４】
各画素領域には、走査信号線を挟むように第１および第２副画素領域が設けられ、
該第１および第２副画素領域にはそれぞれ画素電極が設けられ、
上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、
第１副画素に第１配向規制用構造物が設けられるとともに、第２副画素に第２配向規制用構造物が設けられていることを特徴とする請求項３記載の液晶パネル。
【請求項５】
上記第１および第２配向規制用構造物それぞれに、対向基板に設けられたリブ、画素電極に形成されたスリット、および対向基板の共通電極に形成されたスリットの少なくとも１つが含まれていることを特徴とする請求項４記載の液晶パネル。
【請求項６】
上記リブは行方向に視てＶ字形状をなし、画素電極に形成された上記スリットは行方向に視てＶ字形状をなし、共通電極に形成された上記スリットは行方向に視てＶ字形状をなすことを特徴とする請求項５記載の液晶パネル。
【請求項７】
上記スイッチング素子は第１および第２のトランジスタからなり、
上記２つの画素電極は、第１副画素領域に設けられた第１の画素電極と、第２副画素領域に設けられた第２の画素電極とからなり、
上記保持容量配線は、第１の画素電極と保持容量を形成する第１の保持容量配線と、第２の画素電極と保持容量を形成する第２の保持容量配線とを含み、
上記第１および第２の画素電極はそれぞれ第１および第２のトランジスタを介して同一のデータ信号線に接続されていることを特徴とする請求項４記載の液晶パネル。
【請求項８】
隣接する２つの画素の一方に設けられた第１配向規制用構造物の形状は、上記２つの画素のもう一方に設けられた第１配向規制用構造物を１８０°回転させて得られる形状であることを特徴とする請求項４記載の液晶パネル。
【請求項９】
上記第１配向規制用構造物をパネル面に平行でかつ走査信号線を含む平面に投影した場合に、第１副画素領域の中央を通って該走査信号線に垂直な直線に対しては非対称な形状になる一方で第１副画素領域の中央を通って該走査信号線に平行な直線に対して対称な形状になり、上記第２配向規制用構造物をパネル面に平行でかつ走査信号線を含む平面に投影した場合に、第２副画素領域の中央を通って該走査信号線に垂直な直線に対しては非対称な形状になる一方で第２副画素領域の中央を通って該走査信号線に平行な直線に対して対称な形状になることを特徴とする請求項８記載の液晶パネル。
【請求項１０】
各画素において、第１副画素は表示時の明画素に対応し、第２副画素は表示時の暗画素に対応することを特徴とする請求項８記載の液晶パネル。
【請求項１１】
上記隣接する２つの画素は、同色の画素であることを特徴とする請求項８記載の液晶パネル。
【請求項１２】
各画素において、第１および第２配向規制用構造物の形状が同じであることを特徴とする請求項９記載の液晶パネル。
【請求項１３】
隣接する２つの画素の一方に設けられた第２配向規制用構造物の形状は、上記２つの画素のもう一方に設けられた第２配向規制用構造物を１８０°回転させて得られる形状であることを特徴とする請求項８記載の液晶パネル。
【請求項１４】
上記隣接する２つの画素の一方に設けられた第１配向規制用構造物によって、該画素の第１副画素には、走査信号線に沿う部分に複数の配向が形成可能であり、該隣接する２つの画素のもう一方に設けられた第１配向規制用構造物によって、該画素の第１副画素には、走査信号線に沿う部分に複数の配向が形成可能であることを特徴とする請求項８記載の液晶パネル。
【請求項１５】
赤、緑、青に対応する、走査信号線に沿う方向に並んだ３つの画素を１つの画素群として、該方向に隣接する２つの画素群に含まれる２つの同色の画素について、一方の画素に設けられた第１配向規制用構造物の形状は、もう一方の画素に設けられた第１配向規制用構造物を１８０°回転させて得られる形状であることを特徴とする請求項８記載の液晶パネル。
【請求項１６】
走査信号線に沿う方向を行方向として、上記第１副画素領域は行方向に沿った２つの端部を有する形状であり、上記第１配向規制用構造物には、対向基板に形成され、行方向に視て第１副画素領域の上記２つの端部それぞれと重なるとともに両端部間で屈折するＶ字の形状をなすリブ、画素電極に形成され、行方向に視て上記Ｖ字の形状をなすスリット、および対向基板に設けられる共通電極に形成され、行方向に視て上記Ｖ字の形状をなすスリットの少なくとも１つが含まれていることを特徴とする請求項８記載の液晶パネル。
【請求項１７】
隣り合う第１および第２のデータ信号線間に位置するとともに第１のデータ信号線に接続するスイッチング素子を有する画素においては、その第１および第２配向規制用構造物それぞれに、第２のデータ信号線側から行方向に視てＶ字形状をなす上記リブ、画素電極に形成され、第２のデータ信号線側から行方向に視てＶ字形状をなすスリット、および上記共通電極に形成され、第２のデータ信号線側から行方向に視てＶ字形状をなすスリットの少なくとも１つが含まれていることを特徴とする請求項６記載の液晶パネル。
【請求項１８】
第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、
上記第１のドレイン引き出し配線の少なくとも一部が、第１配向規制用構造物に重なるとともに、上記第２のドレイン引き出し配線の少なくとも一部が、第２配向規制用構造物に重なることを特徴とする請求項７記載の液晶パネル。
【請求項１９】
上記第１のコンタクトホールの少なくとも一部が第１配向規制用構造物に重なるとともに、上記第２のコンタクトホールの少なくとも一部が第２配向規制用構造物に重なることを特徴とする請求項１８記載の液晶パネル。
【請求項２０】
第１の保持容量配線からは第１の画素電極と重なるように第１の保持容量配線延伸部が延伸するとともに、第２の保持容量配線からは第２の画素電極と重なるように第２の保持容量配線延伸部が延伸し、
上記第１の保持容量配線延伸部の少なくとも一部が第１配向規制用構造物に重なるとともに、上記第２保持容量配線延伸部の少なくとも一部が第２配向規制用構造物に重なることを特徴とする請求項７記載の液晶パネル。
【請求項２１】
第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、
第１のドレイン引き出し配線は、上記第１の保持容量配線延伸部と重なる第１の重畳部を有するとともに、第２のドレイン引き出し配線は、上記第２の保持容量配線延伸部と重なる第２の重畳部を有することを特徴とする請求項２０記載の液晶パネル。
【請求項２２】
第１配向規制用構造物には、上記第１の画素電極に形成されたスリットが含まれるとともに、第２配向規制用構造物には、上記第２の画素電極に形成されたスリットが含まれ、
上記第１の重畳部と第１のドレイン電極との間に上記第１のコンタクトホールが形成されるとともに、上記第２の重畳部と第２のドレイン電極との間に上記第２のコンタクトホールが形成され、
上記第１のドレイン引き出し配線は、第１のドレイン電極と第１のコンタクトホールとの間にいずれかのスリットと重なる部分を有するとともに、上記第２のドレイン引き出し配線は、第２のドレイン電極と第２のコンタクトホールとの間にいずれかのスリットと重なる部分を有することを特徴とする請求項２１記載の液晶パネル。
【請求項２３】
第１のトランジスタのドレイン電極は、第１のドレイン引き出し配線と１以上のコンタクトホールとを介して第１の画素電極に接続されるとともに、第２のトランジスタのドレイン電極は、第２のドレイン引き出し配線と１以上のコンタクトホールとを介して第２の画素電極に接続され、
上記第１のドレイン引き出し配線にはコンタクトホールと交差する刳り貫き部が形成されるとともに、上記第２のドレイン引き出し配線にもコンタクトホールと交差する刳り貫き部が形成されていることを特徴とする請求項７記載の液晶パネル。
【請求項２４】
データ信号線に沿う方向を列方向、走査信号線に沿う方向を行方向として、
上記第１のドレイン引き出し配線には、２つのコンタクトホールそれぞれに対応して、延伸形状の上記刳り貫き部が形成され、一方の刳り貫き部の延伸方向が列方向であってもう一方の刳り貫き部の延伸方向が行方向であり、
上記第２のドレイン引き出し配線には、２つのコンタクトホールそれぞれに対応して、延伸形状の上記刳り貫き部が形成され、一方の刳り貫き部の延伸方向が列方向であってもう一方の刳り貫き部の延伸方向が行方向であることを特徴とする請求項２３記載の液晶パネル。
【請求項２５】
請求項３記載の液晶パネルとドライバとを備えることを特徴とする液晶表示ユニット。
【請求項２６】
請求項２５記載の液晶表示ユニットを備えることを特徴とする液晶表示装置。
【請求項２７】
１フレーム期間においてＡの組に属する交差部近傍のスイッチング素子に基準電位に対してマイナス極性を有する信号電位を与えるととともにＢの組に属する交差部近傍のスイッチング素子に基準電位に対してプラス極性を有する信号電位を与えるように、走査信号線およびデータ信号線が駆動されることを特徴とする請求項２６記載の液晶表示装置。
【請求項２８】
上記第１および第２の保持容量配線は、それぞれの電位波形の位相が互いに１８０度ずれるように電位制御されることを特徴とする請求項２７記載の液晶表示装置。
【請求項２９】
上記第１の保持容量配線が、上記各トランジスタがオフされた後に電位が上昇してその状態が次フレームで上記各トランジスタがオフされるまで続くように電位制御されるとともに、上記第２の保持容量配線が、上記各トランジスタがオフされた後に電位が下降してその状態が次フレームで上記各トランジスタがオフされるまで続くように電位制御されるか、あるいは、上記第１の保持容量配線が、上記各トランジスタがオフされた後に電位が下降してその状態が次フレームで上記各トランジスタがオフされるまで続くように電位制御されるとともに、上記第２の保持容量配線が、上記各トランジスタがオフされた後に電位が上昇してその状態が次フレームで上記各トランジスタがオフされるまで続くように電位制御されることを特徴とする請求項２７記載の液晶表示装置。
【請求項３０】
上記第１の保持容量配線の電位が上昇するのと、第２の保持容量配線の電位が下降するのとが一水平期間ずれているか、あるいは、上記第１の保持容量配線の電位が下降するのと、第２の保持容量配線の電位が上昇するのとが一水平期間ずれていることを特徴とする請求項２６記載の液晶表示装置。
【請求項３１】
走査信号線の延伸方向を行方向とすれば、行および列方向に画素領域が並べられ、１つの画素領域に設けられた２つの画素電極それぞれが、スイッチング素子を介して同一の走査信号線およびデータ信号線に接続されるとともに、異なる保持容量配線と容量を形成しており、列方向に隣り合う２つの画素領域の一方に設けられた２つの画素電極の１つと他方に設けられた２つの画素電極の１つとが、同一の保持容量配線と容量を形成するアクティブマトリクス基板であって、
同一画素領域列内の任意の画素領域に設けられた２つの画素電極は、隣り合う２本のデータ信号線の一方に接続されるかあるいは他方に接続されており、上記画素領域列において、連続するｎ個（ｎは２以上）の画素領域を順次ブロックとしていくと、
同一ブロックに属し、かつ列方向に隣り合う２つの画素領域については、その一方に設けられる２つの画素電極が接続するデータ信号線と他方に設けられる２つの画素電極が接続するデータ信号線とが異なり、互いに異なるブロックに属し、かつ列方向に隣り合う２つの画素領域については、その一方に設けられる２つの画素電極が接続するデータ信号線と他方に設けられる２つの画素電極が接続するデータ信号線とが同じであることを特徴とするアクティブマトリクス基板。
【請求項３２】
請求項３１記載のアクティブマトリクス基板を備え、
上記データ信号線には、基準電位以上の信号電位と基準電位以下の信号電位とが、ｎ水平期間ごとに交互に供給され、
隣り合う２本のデータ信号線の一方に基準電位以上の信号電位が供給される水平期間においては、他方に基準電位以下の信号電位が供給されることを特徴とする液晶表示装置。
【請求項３３】
上記保持容量配線には、周期的なレベルシフトによってレベルが入れ替わる保持容量配線信号が供給され、
１つの画素領域に設けられた２つの画素電極と容量を形成する２本の保持容量配線それぞれに供給される保持容量配線信号は、該２つの画素電極が接続する走査信号線が走査された後の最初のレベルシフトが互いに逆向きになるように設定されていることを特徴とする請求項３２に記載の液晶表示装置。
【請求項３４】
請求項２６または３２記載の液晶表示装置と、テレビジョン放送を受信するチューナー部とを備えることを特徴とするテレビジョン受像機。
【発明の詳細な説明】
【技術分野】
【０００１】
本発明は、１画素が複数の副画素からなる画素分割方式の液晶表示装置並びにそれに用いられるアクティブマトリクス基板および液晶パネルに関する。
【背景技術】
【０００２】
液晶表示装置のγ特性の視角依存性（液晶表示装置を正面から観測した時のγ特性と斜めから観測した時のγ特性との差異）を改善するための一手法として、１画素を複数の副画素で構成する画素分割方式（いわゆるマルチ画素技術）が提案されている（例えば、特許文献１参照）。【０００３】
図３５に画素分割方式の液晶表示装置に用いられる従来のアクティブマトリクス基板の構成を示す。同図に示すように、従来のアクティブマトリクス基板は、互いに直交するデータ信号線２１５および走査信号線２１６と、第１および第２の保持容量配線２１８ａ・２１８ｂと、マトリクス状に配された画素領域２０５とを備える。なお、データ信号線２１５は走査信号線２１６よりも上層に配される。走査信号線２１６は、各画素領域２０５を横切るように行方向（図中左右方向）に延伸し、データ信号線２１５は各画素領域のエッジ（走査信号線２１６と直交する方向に沿うエッジ）に沿って列方向（図中上下方向）に延伸し、第１および第２の保持容量配線２１８ａ・２１８ｂはそれぞれ、列方向に隣接する２つの画素領域それぞれの端部と重なるように行方向（図中左右方向）に延伸している。【０００４】
各画素領域２０５には、第１のトランジスタ２１２ａと第２のトランジスタ２１２ｂからなるスイッチング素子２１２、第１の画素電極２１７ａ、第２の画素電極２１７ｂ、第１の保持容量配線２１８ａ、第２の保持容量配線２１８ｂ、第１のドレイン引き出し配線２２７ａ、第２のドレイン引き出し配線２２７ｂ、第１のコンタクトホール２１１ａ、および第２のコンタクトホール２１１ｂが形成される。【０００５】
ここで、第１の画素電極２１７ａは走査信号線２１６の一方の側（図中上側）に配置され、第２の画素電極２１７ｂは走査信号線２１６のもう一方の側（図中下側）に配置され、データ信号線２１５および走査信号線２１６の交差部近傍にスイッチング素子２１２が配されている。そして、図３６に示すように、列方向に隣接する画素領域に設けられた各画素電極（２１７ａ・２１７ｂ）はすべてスイッチング素子２１２を介して同一のデータ信号線２１５に接続されている。【０００６】
第１のトランジスタのソース電極２０９ａは、データ信号線２１５から行方向に引き出されている。第１のトランジスタのドレイン電極２０８ａは、ソース電極２０９ａと対向するように形成され、第１のドレイン引き出し配線２２７ａとコンタクトホール２１１ａとを介して第１の画素電極２１７ａに接続されている。また、第１の画素電極２１７ａと第１の保持容量配線２１８ａとの重畳部に第１の保持容量が形成される。同様に、第２のトランジスタのソース電極２０９ｂは、データ信号線２１５から行方向に引き出されている。第２のトランジスタのドレイン電極２０８ｂは、第２走査電極部２１６ｂと重なりかつソース電極２０９ｂと対向するように形成され、第２のドレイン引き出し配線２２７ｂとコンタクトホール２１１ｂとを介して第２の画素電極２１７ｂに接続されている。また、第２の画素電極２１７ｂと第２の保持容量配線２１８ｂとの重畳部に第２の保持容量が形成される。【０００７】
そして、上記アクティブマトリクス基板を備えた液晶表示装置においては、画素領域２０５と対向基板および液晶層のこれに対応する領域とで１つの画素が形成され、第１の画素電極２１７ａが設けられる領域と対向基板および液晶層のこれに対応する領域とで第１の副画素が形成され、第２の画素電極２１７ｂが設けられる領域と対向基板および液晶層のこれに対応する領域とで第２の副画素が形成される。【０００８】
上記アクティブマトリクス基板によれば、データ信号線２１５から第１の画素電極２１７aと第２の画素電極２１７ｂとに同じ信号電位が供給されるが、第１および第２の保持容量配線２１８a・２１８ｂの電位を個別制御することによって、第１および第２の保持容量を介して第１の画素電極２１７aおよび第２の画素電極２１７ｂを異なる電位とすることができる。【０００９】
したがって、上記アクティブマトリクス基板を備えた液晶表示装置においては、１つの画素を高輝度の副画素（明副画素）と低輝度の副画素（暗副画素）とで構成し、面積階調による中間調を表現することが可能となり、γ特性の視角依存性（例えば、画面の白浮き）を改善することができる。【００１０】
ところで、液晶表示装置におけるデータ信号線の駆動方法として、同一フレームにおいて行方向に隣接するスイッチング素子に互いに異なる極性の信号電位を与えるとともに列方向に隣接するスイッチング素子に互いに異なる極性の信号電位を与えるドット反転駆動（１Ｈ／１Ｖ反転駆動）が多く用いられている。しかしながら、このドット反転駆動では１フレーム期間におけるデータ信号線の極性反転回数が多くなるため、特に大型の液晶表示装置にこれを適用すると、データ信号線の充電が不十分になったりあるいは消費電力が増加したりする問題がある。【００１１】
これを解消するには、例えば、行方向については１スイッチング素子ごとに異なる極性を与え、列方向については隣り合う２個のスイッチング素子ごとに異なる極性を与える駆動（２Ｈ／１Ｖ反転駆動、例えば特許文献２参照）を用いることが考えられる。
【特許文献１】日本国公開特許公報「特開２００４−６２１４６号公報（２００４年２月２日公開）」
【特許文献２】日本国公開特許公報「特開平８−４３７９５号公報（１９９６年２月１６日公開）」
【発明の開示】
【００１２】
しかしながら、図３７に示すように、従来のアクティブマトリクス基板を備えた液晶表示装置に上記の２Ｈ／１Ｖ反転駆動を用いると、図３７の丸囲みで示すように、明副画素の配置に偏りが生じ、ざらついた表示となることがある。人間の視線は明副画素を中心に認識するからである。この現象は、２Ｈ／１Ｖ反転駆動に限られず、行方向については１スイッチング素子ごとに異なる極性を与え、列方向については隣り合うｎ個（ｎは２以上）のスイッチング素子ごとに異なる極性を与える駆動（ｎＨ／１Ｖ反転駆動）一般に発生する。
【００１３】
本発明は、上記課題に鑑みてなされたものであり、その目的は、ｎＨ／１Ｖ反転駆動を行う画素分割方式の液晶表示装置の表示品位を改善するためのアクティブマトリクス基板を提供する点にある。
【００１４】
本発明のアクティブマトリクス基板は、画素領域と、該画素領域を横切るように行方向に伸びる走査信号線と、列方向に伸びるデータ信号線と、データ信号線および走査信号線の交差部近傍に設けられ、該データ信号線および走査信号線に接続されたスイッチング素子と、列方向に隣り合う２つの画素領域の間隙に対応して設けられる保持容量配線とを備え、上記画素領域に２つの画素電極が設けられるとともにこれら画素電極それぞれが異なる保持容量配線と保持容量を形成するアクティブマトリクス基板であって、列方向に並ぶ各画素領域に設けられた２つの画素電極はともに、隣り合う（各画素領域を挟む）２本のデータ信号線の一方と該画素領域を横切る走査信号線との交差部近傍に設けられたスイッチング素子を介してこの一方のデータ信号線に接続されるか、あるいは上記２本のデータ信号線の他方と該画素領域を横切る走査信号線との交差部近傍に設けられたスイッチング素子を介してこの他方のデータ信号線に接続されており、同一のデータ信号線と各走査信号線との交差部を、隣り合うｎ個（ｎは２以上）ごとにＡあるいはＢの組に交互に配していくとともに、行方向に隣り合う交差部を異なる組に配していくことで、データ信号線と走査信号線との交差部をＡおよびＢのいずれかの組に配し、第１および第２のデータ信号線を上記隣り合う２本のデータ信号線とし、所定画素領域に設けられた２つの画素電極がともにスイッチング素子を介して第１のデータ信号線に接続されるものとし、上記所定画素領域の列方向に隣接する画素領域を隣接画素領域として、上記隣接画素領域を横切る走査信号線と第１のデータ信号線との交差部が属する組が、上記所定画素領域を横切る走査信号線と第１のデータ信号線との交差部が属する組と同じであれば、該隣接画素領域が有する２つの画素電極はともにスイッチング素子を介して第２のデータ信号線に接続される一方、上記隣接画素領域を横切る走査信号線と第１のデータ信号線との交差部が属する組が、上記所定画素領域を横切る走査信号線と第１のデータ信号線との交差部が属する組と異なれば、該隣接画素領域が有する２つの画素電極はともにスイッチング素子を介して第１のデータ信号線に接続されることを特徴とする。
【００１５】
また、本アクティブマトリクス基板は、走査信号線の延伸方向を行方向とすれば、行および列方向に画素領域が並べられ、１つの画素領域に設けられた２つの画素電極それぞれが、スイッチング素子を介して同一の走査信号線およびデータ信号線に接続されるとともに、異なる保持容量配線と容量を形成しており、列方向に隣り合う２つの画素領域の一方に設けられた２つの画素電極の１つと他方に設けられた２つの画素電極の１つとが、同一の保持容量配線と容量を形成するアクティブマトリクス基板であって、同一画素領域列内の任意の画素領域に設けられた２つの画素電極は、隣り合う２本のデータ信号線の一方に接続されるかあるいは他方に接続されており、上記画素領域列において、連続するｎ個（ｎは２以上）の画素領域を順次ブロックとしていくと、同一ブロックに属し、かつ列方向に隣り合う２つの画素領域については、その一方に設けられる２つの画素電極が接続するデータ信号線と他方に設けられる２つの画素電極が接続するデータ信号線とが異なり、互いに異なるブロックに属し、かつ列方向に隣り合う２つの画素領域については、その一方に設けられる２つの画素電極が接続するデータ信号線と他方に設けられる２つの画素電極が接続するデータ信号線とが同じであると表現することもできる。
【００１６】
本アクティブマトリクス基板を用いて画素分割方式の液晶表示装置を構成した場合、各画素とデータ信号線とが上記のように千鳥接続されるため、データ信号線をｎＨ／１Ｖ反転駆動（行方向については１スイッチング素子ごとに異なる極性を与え、列方向については隣り合うｎ個のスイッチング素子ごとに異なる極性を与える駆動）すれば、行方向に隣接する２つの画素の極性を反転させるとともに列方向に隣接する２つの画素の極性を反転させる（各画素をドット反転させる）ことができる。これにより、ｎＨ／１Ｖ反転駆動によってデータ信号線の充電を十分に行い、かつ低消費電力化を図りつつも、図３７のような明副画素の偏りをなくすことができる。これにより、ざらつき感の少ない高表示品位の液晶表示装置を実現することができる。
【００１７】
また、本液晶表示装置では、データ信号の反転周期を長く（ｎ水平期間ごと）することができるため、画像書き込み周波数を上げて擬似インパルス駆動をしたり、補間画像の書き込みを行ったりすることで動画性能改善を図ることもできる。
【００１８】
本アクティブマトリクス基板は、上記スイッチング素子は第１および第２のトランジスタからなり、上記２つの画素電極は、走査信号線の一方の側に位置する第１の画素電極と、走査信号線のもう一方の側に位置する第２の画素電極とからなり、上記保持容量配線は、第１の画素電極に重なる第１の保持容量配線と第２の画素電極に重なる第２の保持容量配線とを含み、上記各画素領域においては、第１および第２の画素電極はそれぞれ第１および第２のトランジスタを介して同一のデータ信号線に接続されている構成とすることができる。
【００１９】
本発明の液晶パネルは上記アクティブマトリクス基板と対向基板とを備えることを特徴とする。
【００２０】
本液晶パネルにおいては、各画素領域には、走査信号線を挟むように第１および第２副画素領域が設けられ、該第１および第２副画素領域にはそれぞれ画素電極が設けられ、上記第１副画素領域と対向基板の該第１副画素領域に対応する部分とを含むように第１副画素が構成されるとともに、上記第２副画素領域と対向基板の該第２副画素領域に対応する部分とを含むように第２副画素が構成され、第１副画素に第１配向規制用構造物が設けられるとともに、第２副画素に第２配向規制用構造物が設けられていることが望ましい。これにより、各副画素に複数の配向領域（ドメイン）が形成され、視野角特性を向上させることができる。
【００２１】
本液晶パネルは、上記第１および第２配向規制用構造物それぞれに、対向基板に設けられたリブ、画素電極に形成されたスリット、および対向基板の共通電極に形成されたスリットの少なくとも１つが含まれる構成とすることもできる。このとき、例えば、上記リブは行方向に視てＶ字形状をなし、画素電極に形成された上記スリットは行方向に視てＶ字形状をなし、共通電極に形成された上記スリットは行方向に視てＶ字形状をなす構成とする。
【００２２】
本液晶パネルにおいては、上記スイッチング素子は第１および第２のトランジスタからなり、上記２つの画素電極は、第１副画素領域に設けられた第１の画素電極と、第２副画素領域に設けられた第２の画素電極とからなり、上記保持容量配線は、第１の画素電極と保持容量を形成する第１の保持容量配線と、第２の画素電極と保持容量を形成する第２の保持容量配線とを含み、上記第１および第２の画素電極はそれぞれ第１および第２のトランジスタを介して同一のデータ信号線に接続されている構成とすることができる。
【００２３】
本液晶パネルにおいては、隣接する２つの画素の一方に設けられた第１配向規制用構造物の形状は、上記２つの画素のもう一方に設けられた第１配向規制用構造物を１８０°回転させて得られる形状であってもよい。
【００２４】
上記構成によれば、隣接する２つの画素の一方に設けられた第１配向規制用構造物の形状は、上記２つの画素のもう一方に設けられた第１配向規制用構造物を１８０°回転させて得られる形状であるため、上記２つの画素を画素Ｘ・画素Ｙとすれば、画素Ｘの第１副画素において走査信号線に沿った部分に形成される配向領域の種類と、画素Ｙの第１副画素において走査信号線に沿った部分に形成される配向領域の種類とが異なることになる。
【００２５】
したがって、隣接する２つの画素（Ｘ・Ｙ）を１単位と考えると、これに属する２つの第１副画素（例えば、隣り合う２つの明副画素）が受ける配向乱れ部分が２種類以上の配向領域に分散され、特定の配向領域に偏って配向乱れの影響を受けることがなくなる。すなわち、隣接する２画素単位において、走査信号線に起因する配向乱れの影響を複数の配向領域に分散させることができる。これにより、設計時に意図した視野角特性のバランスが維持され、視野角特性の優れた液晶表示装置を実現することができる。
【００２６】
本構成は、上記第１配向規制用構造物をパネル面に平行でかつ走査信号線を含む平面に投影した場合に、第１副画素領域の中央を通って該走査信号線に垂直な直線に対して非対称な形状になる一方で第１副画素領域の中央を通って該走査信号線に平行な直線に対して対称な形状になり、上記第２配向規制用構造物をパネル面に平行でかつ走査信号線を含む平面に投影した場合に、第２副画素領域の中央を通って該走査信号線に垂直な直線に対して非対称な形状になる一方で第２副画素領域の中央を通って該走査信号線に平行な直線に対して対称な形状になる、例えばＭＶＡ方式の液晶パネルに好適である。
【００２７】
本液晶パネルにおいては、各画素において、第１副画素は表示時の明画素に対応し、第２副画素は表示時の暗画素に対応することが好ましい。明画素における配向乱れは暗画素のそれよりも視野角特性のバランスに与える影響が大きいからである。
【００２８】
本液晶パネルにおいては、上記隣接する２つの画素は、同色の画素である（データ信号線に沿った方向に隣接している）ことが好ましい。こうすれば、同色の隣り合う第１副画素（例えば、同色の隣り合う２つの明副画素）が受ける配向乱れ部分が２種類以上の配向領域に分散されることになるため、視野角特性をより高めることができる。
【００２９】
本液晶パネルにおいては、隣接する２つの画素の一方に設けられた第２配向規制用構造物の形状は、上記２つの画素のもう一方に設けられた第２配向規制用構造物を１８０°回転させて得られる形状であることが望ましい。こうすれば、隣り合う第１副画素（例えば、隣り合う２つの明副画素）が受ける配向乱れ部分が２種類以上の配向領域に分散されるとともに、隣り合う第２副画素（例えば、隣り合う２つの暗副画素）が受ける配向乱れ部分も２種類以上の配向領域に分散されることになり、視野角特性をより高めることができる。
【００３０】
本液晶パネルにおいては、各画素において、第１および第２配向規制用構造物の形状がほぼ同一であることが望ましい。こうすれば、表示時における明・暗画素の配置の自由度が高まる。
【００３１】
本液晶パネルにおいては、隣接する２つの画素の一方に設けられた第１配向規制用構造物によって、該第１副画素には、走査信号線に沿う部分に複数の配向が形成可能であり、上記隣接する２つの画素のもう一方に設けられた第１配向規制用構造物によって、該第１副画素には、走査信号線に沿う部分に複数の配向が形成可能であることが望ましい。こうすれば、上記の単位（隣接する２つの画素）に属する２つの第１副画素（例えば、隣り合う２つの明副画素）が受ける配向乱れ部分が４種類以上の配向領域に分散されることになり、視野角特性を一層高めることができる。
【００３２】
本液晶パネルにおいては、赤、緑、青に対応する行方向に並んだ３つの画素を１つの画素群として、行方向に隣接する２つの画素群に含まれる２つの同色の画素について、一方の画素に設けられた第１配向規制用構造物の形状は、もう一方の画素に設けられた第１配向規制用構造物を１８０°回転させて得られる形状である構成とすることもできる。こうすれば、行方向に隣り合う同色の第１副画素（例えば、行方向に隣り合う同色の２つの明副画素）が受ける配向乱れ部分も２種類以上の配向領域に分散されることになり、視野角特性をより高めることができる。
【００３３】
本液晶パネルにおいては、走査信号線に沿う方向を行方向として、上記第１副画素領域は行方向に沿った２つの端部を有する形状であり、上記第１配向規制用構造物に、対向基板に形成され、行方向に視て第１副画素領域の上記２つの端部それぞれと重なるとともに両端部間で屈折するＶ字の形状をなすリブ、画素電極に形成され、行方向に視て上記Ｖ字の形状をなすスリット、および対向基板に設けられる共通電極に形成され、行方向に視て上記Ｖ字の形状をなすスリットの少なくとも１つが含まれている構成とすることもできる。さらに、上記第２副画素領域は行方向に沿った２つの端部を有する形状であり、上記第２配向規制用構造物に、対向基板に形成され、行方向に視て第２副画素領域の上記２つの端部それぞれと重なるとともに両端部間で屈折するＶ字の形状をなすリブ、画素電極に形成され、行方向に視て上記Ｖ字の形状をなすスリット、および対向基板に設けられる共通電極に形成され、行方向に視て上記Ｖ字の形状をなすスリットの少なくとも１つが含まれている構成とすることもできる。
【００３４】
本液晶パネルにおいては、隣り合う第１および第２のデータ信号線間に位置するとともに第１のデータ信号線に接続するスイッチング素子を有する画素においては、その第１および第２配向規制用構造物それぞれに、第２のデータ信号線側から行方向に視てＶ字形状をなす上記リブ、画素電極に形成され、第２のデータ信号線側から行方向に視てＶ字形状をなすスリット、および上記共通電極に形成され、第２のデータ信号線側から行方向に視てＶ字形状をなすスリットの少なくとも１つが含まれている構成とすることもできる。こうすれば、スイッチング素子からの引き出し配線のより多くの部分を配向規制用構造物下に配置できることになり、開口率を高めることができる。
【００３５】
本液晶パネルにおいては、第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、上記第１のドレイン引き出し配線の少なくとも一部が、第１配向規制用構造物に重なるとともに、上記第２のドレイン引き出し配線の少なくとも一部が、第２配向規制用構造物に重なっていてもよい。さらに、上記第１のコンタクトホールの少なくとも一部が第１配向規制用構造物に重なるとともに、上記第２のコンタクトホールの少なくとも一部が第２配向規制用構造物に重なっていてもよい。こうすれば、各配向規制用構造物が遮光性である場合に、開口率を高めることができる。
【００３６】
本液晶パネルにおいては、第１の保持容量配線からは第１の画素電極と重なるように第１の保持容量配線延伸部が延伸するとともに、第２の保持容量配線からは第２の画素電極と重なるように第２の保持容量配線延伸部が延伸し、上記第１の保持容量配線延伸部の少なくとも一部が第１配向規制用構造物に重なるとともに、上記第２の保持容量配線延伸部の少なくとも一部が第２配向規制用構造物に重なっていてもよい。こうすれば、開口率を維持しつつ、各保持容量配線延伸部によって保持容量を増加させることができる。
【００３７】
本液晶パネルにおいては、第１のトランジスタのドレイン電極は、第１のドレイン引き出し配線と第１のコンタクトホールとを介して第１の画素電極に接続されるとともに、第２のトランジスタのドレイン電極は、第２のドレイン引き出し配線と第２のコンタクトホールとを介して第２の画素電極に接続され、第１のドレイン引き出し配線は、第１の保持容量配線延伸部と重なる第１の重畳部を有するとともに、第２のドレイン引き出し配線は、第２の保持容量配線延伸部と重なる第２の重畳部を有していてもよい。
【００３８】
こうすれば、例えば、第１のトランジスタに動作不良が発生した場合に、第１の重畳部下の絶縁膜を貫通させて第１の保持容量配線延伸部と第１のドレイン引き出し配線とを接続するとともに、このドレイン引き出し配線を、第１のコンタクトホールと第１のドレイン電極との間で断線させることができる。これにより、欠陥画素に存在する第１の画素電極と第１の保持容量配線とを第１の保持容量配線延伸部を介して接続することができ、該第１の画素電極を第１の保持容量配線の電位に落とすことができる。
【００３９】
なお、上記第１の画素電極には、第１配向規制用構造物に対応して複数のスリットが設けられるとともに、上記第２の画素電極には、第２配向規制用構造物に対応して複数のスリットが設けられている構成では、上記第１の重畳部と第１のドレイン電極との間に上記第１のコンタクトホールが形成されるとともに、上記第２の重畳部と第２のドレイン電極との間に上記第２のコンタクトホールが形成され、上記第１のドレイン引き出し配線は、第１のドレイン電極と第１のコンタクトホールとの間にいずれかのスリットと重なる部分を有するとともに、上記第２のドレイン引き出し配線は、第２のドレイン電極と第２のコンタクトホールとの間にいずれかのスリットと重なる部分を有することが望ましい。こうすれば、上記断線を画素電極のない部分で行うことができ、該断線が容易になる。
【００４０】
本液晶パネルにおいては、第１のトランジスタのドレイン電極は、第１のドレイン引き出し配線と１以上のコンタクトホールとを介して第１の画素電極に接続されるとともに、第２のトランジスタのドレイン電極は、第２のドレイン引き出し配線と１以上のコンタクトホールとを介して第２の画素電極に接続され、上記第１のドレイン引き出し配線にはコンタクトホールと交差する刳り貫き部が形成されるとともに、上記第２のドレイン引き出し配線にもコンタクトホールと交差する刳り貫き部が形成されていてもよい。こうすれば、上記刳り貫き部によって開口率を高めることができる。また、コンタクトホールを複数とすれば、ドレイン引き出し配線と各画素電極との電気的接続について冗長性が確保でき、接続不良を抑制することができる。この場合、上記第１のドレイン引き出し配線には２つのコンタクトホールそれぞれに対応して延伸形状の上記刳り貫き部が形成され、一方の刳り貫き部の延伸方向が列方向であってもう一方の刳り貫き部の延伸方向が行方向であり、上記第２のドレイン引き出し配線には２つのコンタクトホールそれぞれに対応して延伸形状の上記刳り貫き部が形成され、一方の刳り貫き部の延伸方向が列方向であってもう一方の刳り貫き部の延伸方向が行方向であってもよい。こうすれば、アライメントずれが生じてもコンタクト面積の変動を抑制することができる。
【００４１】
本発明の液晶表示ユニットは、上記液晶パネルとドライバとを備えることを特徴とする。
【００４２】
本発明の液晶表示装置は、上記液晶表示ユニットを備えることを特徴とする。
【００４３】
本液晶表示装置においては、１フレーム期間においてＡの組に属する交差部近傍のスイッチング素子に基準電位に対してマイナス極性を有する信号電位を与えるととともにＢの組に属する交差部近傍のスイッチング素子に基準電位に対してプラス極性を有する信号電位を与えるように、走査信号線およびデータ信号線が駆動される。
【００４４】
上記構成によれば、データ信号線をｎＨ／１Ｖ反転駆動（行方向については１スイッチング素子ごとに異なる極性を与え、列方向については隣り合うｎ個のスイッチング素子ごとに異なる極性を与える駆動）すれば、各画素をドット反転させることができる。すなわち、ｎＨ／１Ｖ反転駆動によってデータ信号線の充電を十分に行いつつ、図３７のような明副画素の偏りをなくすことができる。これにより、ざらつき感の少ない高表示品位の液晶表示装置を実現することができる。
【００４５】
また、本液晶表示装置では、データ信号の反転周期を長く（ｎ水平期間ごと）することができるため、画像書き込み周波数を上げて擬似インパルス駆動をしたり、補間画像の書き込みを行ったりすることで動画性能改善を図ることもできる。
【００４６】
また、ｎＨ／１Ｖ反転駆動を適用できるため、ドライバの消費電力を低減し、ドライバの発熱を抑制することができる。なお、ドライバの発熱が抑制されると、ドライバＩＣを小さく構成することができる。これにより、液晶表示装置の外形寸法を縮小することも可能である。
【００４７】
本液晶表示装置においては、上記第１および第２の保持容量配線は、それぞれの電位波形の位相が互いに１８０度ずれるように電位制御されてもよい。
【００４８】
本液晶パネルにおいては、上記第１の保持容量配線が、上記各トランジスタがオフされた後に電位が上昇してその状態が次フレームで上記各トランジスタがオフされるまで続くように電位制御されるとともに、上記第２の保持容量配線が、上記各トランジスタがオフされた後に電位が下降してその状態が次フレームで上記各トランジスタがオフされるまで続くように電位制御されるか、あるいは、上記第１の保持容量配線が、上記各トランジスタがオフされた後に電位が下降してその状態が次フレームで上記各トランジスタがオフされるまで続くように電位制御されるとともに、上記第２の保持容量配線が、上記各トランジスタがオフされた後に電位が上昇してその状態が次フレームで上記各トランジスタがオフされるまで続くように電位制御されてもよい。こうすれば、各保持容量配線の電位波形のなまりがドレイン実効電位に与える影響が小さくなり、輝度ムラの低減に有効である。この場合、上記第１の保持容量配線の電位が上昇するのと、第２の保持容量配線の電位が下降するのとが一水平期間ずれているか、あるいは、上記第１の保持容量配線の電位が下降するのと、第２の保持容量配線の電位が上昇するのとが一水平期間ずれていてもよい。
【００４９】
また、本液晶表示装置は、走査信号線の延伸方向を行方向とすれば、行および列方向に画素が並べられ、１つの画素に設けられた２つの画素電極それぞれが、スイッチング素子を介して同一の走査信号線およびデータ信号線に接続されるとともに、異なる保持容量配線と容量を形成しており、列方向に隣り合う２つの画素の一方に設けられた２つの画素電極の１つと他方に設けられた２つの画素電極の１つとが、同一の保持容量配線と容量を形成しており、同一画素列内の任意の画素に設けられた２つの画素電極は、隣り合う２本のデータ信号線の一方に接続されるかあるいは他方に接続されており、上記画素列において、連続するｎ個（ｎは２以上）の画素を順次ブロックとしていくと、同一ブロックに属し、かつ列方向に隣り合う２つの画素については、その一方に設けられる２つの画素電極が接続するデータ信号線と他方に設けられる２つの画素電極が接続するデータ信号線とが異なり、互いに異なるブロックに属し、かつ列方向に隣り合う２つの画素については、その一方に設けられる２つの画素電極が接続するデータ信号線と他方に設けられる２つの画素電極が接続するデータ信号線とが同じであるとも表現できる。
【００５０】
本液晶表示装置では、上記データ信号線には、基準電位以上の信号電位と基準電位以下の信号電位とが、ｎ水平期間ごとに交互に供給され、隣り合う２本のデータ信号線の一方に基準電位以上の信号電位が供給される水平期間においては、他方に基準電位以下の信号電位が供給されることが望ましい。
【００５１】
また、本液晶表示装置では、上記保持容量配線には、周期的なレベルシフトによってレベルが入れ替わる保持容量配線信号が供給され、１つの画素に設けられた２つの画素電極と容量を形成する２本の保持容量配線それぞれに供給される保持容量配線信号は、該２つの画素電極が接続する走査信号線が走査された後の最初のレベルシフトが互いに逆向きになるように設定されている構成とすることもできる。
【００５２】
本発明のテレビジョン受像機は、上記液晶表示装置と、テレビジョン放送を受信するチューナー部とを備えることを特徴とする。
【００５３】
以上のように、本アクティブマトリクス基板を用いて画素分割方式の液晶表示装置を構成した場合、データ信号線をｎＨ／１Ｖ反転駆動すれば、各画素をドット反転させることができる。すなわち、ｎＨ／１Ｖ反転駆動によってデータ信号線の充電を十分に行いつつ、明副画素の偏りをなくすことができる。これにより、ざらつき感の少ない高表示品位の液晶表示装置を実現することができる。この効果は、大型の液晶表示装置において特に顕著といえる。
【図面の簡単な説明】
【００５４】
【図１】本実施の形態にかかる液晶パネルの構成を示す平面図である。
【図２】図１の液晶パネルの一部を拡大して示す平面図である。
【図３】図１に示す液晶パネルのアクティブマトリクス基板の構成を示す模式図である。
【図４】図３に示すアクティブマトリクス基板の一部を拡大して示す平面図である。
【図５】本実施の形態に係る液晶表示装置の駆動方法を示す模式図である。
【図６】図５の液晶表示装置の一部を拡大して示す模式図である。
【図７】本実施の形態にかかる液晶パネルの他の構成を示す平面図である。
【図８】（ａ）は図７に示す液晶パネルの一部（１画素分）を拡大して示す平面図であり、（ｂ）は該液晶パネルを用いた液晶表示装置の配向状態を示す模式図である。
【図９】（ａ）は図７に示す液晶パネルの一部（２画素分）を拡大して示す平面図であり、（ｂ）は該液晶パネルを用いた液晶表示装置の配向状態を示す模式図である。
【図１０】本実施の形態にかかる液晶パネルの他の構成を示す平面図である。
【図１１】図１０に示す液晶パネルの一部を拡大して示す平面図である。
【図１２】図１０に示す液晶パネルの一部を拡大して示す平面図である。
【図１３】本液晶パネルの他の構成を示す平面図である。
【図１４】本液晶パネルの他の構成を示す平面図である。
【図１５】本液晶パネルの他の構成を示す平面図である。
【図１６】本液晶パネルの他の構成を示す平面図である。
【図１７】本液晶パネルの他の構成を示す平面図である。
【図１８】図１３に示す液晶パネルのＸ線での断面図である。
【図１９】図１１に示す液晶パネルのＹ線での断面図である。
【図２０】本液晶表示装置の他の駆動方法を示す模式図である。
【図２１】本液晶表示装置の駆動方法を示すタイミングチャートである。
【図２２】本液晶表示装置の他の駆動方法を示すタイミングチャートである。
【図２３】（ａ）は本液晶表示ユニットの構成を示す模式図であり、（ｂ）は本液晶表示装置の構成を示す模式図である。
【図２４】本液晶表示装置の機能を説明するブロック図である。
【図２５】本テレビジョン受像機の機能を説明するブロック図である。
【図２６】本テレビジョン受像機の構成を示す分解斜視図である。
【図２７】本液晶パネルへの偏光板取り付け方法を示す模式図である。
【図２８】本液晶パネルの他の構成を示す平面図である。
【図２９】本液晶パネルの他の構成（ジグザグ型リブを有する構成）を示す平面図である。
【図３０】本液晶パネルの他の構成（配向規制構造物としてスリットのみを有する構成）を示す平面図である。
【図３１】（ａ）（ｂ）は、本液晶表示装置（配向規制構造物としてリブ・スリットを有する構成）における配向を説明する断面図である。
【図３２】（ａ）（ｂ）は、本液晶表示装置（配向規制構造物としてスリットのみを有する構成）における配向を説明する断面図である。
【図３３】本液晶表示装置における画素とデータ信号線との接続関係および本液晶表示装置の駆動方法を示す模式図である。
【図３４】本液晶表示装置の駆動方法を示すタイミングチャートである。
【図３５】従来の液晶パネルに用いられるアクティブマトリクス基板の構成を示す平面図である。
【図３６】従来の液晶パネルに用いられるアクティブマトリクス基板の構成を示す模式図である。
【図３７】従来の液晶表示装置の駆動方法を示す模式図である。
【符号の説明】
【００５５】
５  画素領域
５５  画素
１２  スイッチング素子
１２ａ  第１のトランジスタ
１２ｂ  第２のトランジスタ
１５  データ信号線
１６  走査信号線
１７ａ  第１の画素電極
１７ｂ  第２の画素電極
１８ａ  第１の保持容量配線
１８ｂ  第２の保持容量配線
１００  液晶表示ユニット
１１０  液晶表示装置
６０１  テレビジョン受像機
Ｓ  スリット
Ｄ１〜Ｄ４  配向領域
Ｌ１  第１のリブ
Ｌ２  第２のリブ
【発明を実施するための最良の形態】
【００５６】
図１は本実施の形態に係る液晶パネルの平面図である。なお、本液晶パネルは本アクティブマトリクス基板と液晶層とカラーフィルタ基板とを備えるが、図１では液晶層とカラーフィルタ基板については図示していない。図２は、図１の一部を拡大して示す平面図である。【００５７】
図１に示すように、本アクティブマトリクス基板は、互いに直交するデータ信号線１５および走査信号線１６と、第１および第２の保持容量配線１８ａ・１８ｂと、マトリクス状に配された画素領域５とを備える。なお、データ信号線１５は走査信号線１６よりも上層に配される。走査信号線１６は、各画素領域５を横切るように行方向（図中左右方向）に延伸し、データ信号線１５は各画素領域のエッジ（走査信号線１６と直交する方向に沿うエッジ）に沿って列方向（図中上下方向）に延伸し、第１および第２の保持容量配線１８ａ・１８ｂはそれぞれ、列方向に隣接する２つの画素領域それぞれの端部と重なるように行方向（図中左右方向）に延伸している。【００５８】
図２に示すように、画素領域５には、第１のトランジスタ１２ａと第２のトランジスタ１２ｂからなるスイッチング素子１２、第１の画素電極１７ａ、第２の画素電極１７ｂ、第１の保持容量配線１８ａ、第２の保持容量配線１８ｂ、第１のドレイン引き出し配線２７ａ、第２のドレイン引き出し配線２７ｂ、第１のコンタクトホール１１ａ、および第２のコンタクトホール１１ｂが形成される。【００５９】
ここで、第１の画素電極１７ａは走査信号線１６の一方の側（図中上側）に配置され、第２の画素電極１７ｂは走査信号線１６のもう一方の側（図中下側）に配置され、データ信号線１５および走査信号線１６の交差部近傍にスイッチング素子１２が配されている。そして、図１に示すように、任意の画素領域５に設けられた第１および第２の画素電極１７ａ・１７ｂはともに、スイッチング素子１２を介して該画素領域５を挟む２本のデータ信号線のいずれかに接続される。【００６０】
第１のトランジスタのソース電極９ａは、データ信号線１５から行方向に引き出されている。第１のトランジスタのドレイン電極８ａは、ソース電極９ａと対向するように形成され、第１のドレイン引き出し配線２７ａとコンタクトホール１１ａとを介して第１の画素電極１７ａに接続されている。また、第１の画素電極１７ａと第１の保持容量配線１８ａとの重畳部に第１の保持容量が形成される。同様に、第２のトランジスタのソース電極９ｂは、データ信号線１５から行方向に引き出されている。第２のトランジスタのドレイン電極８ｂはソース電極９ｂと対向するように形成され、第２のドレイン引き出し配線２７ｂとコンタクトホール１１ｂとを介して第２の画素電極１７ｂに接続されている。また、第２の画素電極１７ｂと第２の保持容量配線１８ｂとの重畳部に第２の保持容量が形成される。【００６１】
そして、本液晶パネルにおいては、画素領域５とカラーフィルタ基板および液晶層のこれに対応する領域とで１つの画素が形成され、第１の画素電極１７ａが設けられる第１の副画素領域とカラーフィルタ基板および液晶層のこれに対応する領域とで第１の副画素が形成され、第２の画素電極１７ｂが設けられる第２の副画素領域とカラーフィルタ基板および液晶層のこれに対応する領域とで第２の副画素が形成される。【００６２】
本液晶パネルによれば、データ信号線１５から第１の画素電極１７aと第２の画素電極１７ｂとに同じ信号電位が供給されるが、第１および第２の保持容量配線１８ａ・１８ｂの電位を個別制御することによって、第１および第２の保持容量を介して第１の画素電極１７aおよび第２の画素電極１７ｂを異なる電位とすることができる。【００６３】
したがって、本液晶パネルを備えた液晶表示装置においては、１つの画素を高輝度の副画素（明副画素）と低輝度の副画素（暗副画素）とで構成することで面積階調による中間調表現が可能となり、γ特性の視角依存性（例えば、画面の白浮き）を改善することができる。【００６４】
以下に、図１、図３〜４を用いて、本液晶パネルのアクティブマトリクス基板の各画素領域に設けられた第１および第２の画素電極とデータ信号線との接続関係を説明する。なお、液晶パネルは、上述のｎＨ／１Ｖ反転駆動を行う液晶表示装置に用いられる。なお、図３は上記アクティブマトリクス基板の一部を示す模式図であり、図４は図３の一部（太破線で囲んだ部分）を拡大して示す平面図である。【００６５】
まず、同一のデータ信号線と各走査信号線との交差部を、隣り合うｎ（ｎは２以上）個ごとにＡあるいはＢの組に交互に配していくとともに、行方向に隣り合う交差部を異なる組に配していくことで、データ信号線と走査信号線との交差部をＡおよびＢのいずれかの組に配する。ｎが２の場合（すなわち、２Ｈ／１Ｖ反転駆動を行う液晶表示装置に用いる場合）、図３のようになる。【００６６】
なお、図１に示すとおり、任意の画素領域に設けられた第１および第２の画素電極１７ａ・１７ｂはともに、この画素領域を挟む２本のデータ信号線の一方である第１のデータ信号線とこの画素領域を横切る走査信号線１６との交差部近傍に設けられたスイッチング素子１２を介して第１のデータ信号線に接続されるか、あるいは上記２本のデータ信号線のもう一方である第２のデータ信号線とこの画素領域を横切る走査信号線１６との交差部近傍に設けられたスイッチング素子１２を介して第２のデータ信号線に接続される。【００６７】
そこで、図３・４に示すように、上記任意の画素領域を所定画素領域５Ｓ、これを挟む２本のデータ信号線を１５ｘ・１５ｙとし、所定画素領域５Ｓに設けられた２つの画素電極（１７ａ・１７ｂ）を、所定画素領域５Ｓを横切る走査信号線１６Ｓと第１のデータ信号線１５ｘとの交差部２０Ｓｘの近傍に設けられたスイッチング素子１２Ｓｘを介して第１のデータ信号線１５ｘに接続する。なお、交差部２０ＳｘはＡの組に属する。【００６８】
ここで、所定画素領域５Ｓの列方向に隣接する画素領域を隣接画素領域とし、隣接画素領域を横切る走査信号線と第１のデータ信号線１５ｘとの交差部が属する組が、所定画素領域５Ｓを横切る走査信号線１６Ｓと第１のデータ信号線１５ｘとの交差部２０Ｓｘが属する組（Ａ）と同じであれば、この隣接画素領域が有する２つの画素電極はともに、スイッチング素子を介して第２のデータ信号線１５ｙに接続される。一方、隣接画素領域を横切る走査信号線と第１のデータ信号線１５ｘとの交差部が属する組が、所定画素領域５Ｓを横切る走査信号線１６Ｓと第１のデータ信号線１５ｘとの交差部２０Ｓｘが属する組（Ａ）と異なれば、この隣接画素領域が有する２つの画素電極はともに、スイッチング素子を介して第１のデータ信号線１５ｘに接続される。【００６９】
したがって、所定画素領域５Ｓの列方向（図中下側）に隣接する画素領域５Ｐについては、隣接画素領域５Ｐを横切る走査信号線１６Ｐと第１のデータ信号線１５ｘとの交差部２０Ｐｘが属する組（Ａ）が、所定画素領域５Ｓを横切る走査信号線１６Ｓと第１のデータ信号線１５ｘとの交差部２０Ｓｘが属する組（Ａ）と同じなので、隣接画素領域５Ｐが有する２つの画素電極（１７ａ・１７ｂ）はともに、走査信号線１６Ｐと第２のデータ信号線１５ｙとの交差部２０Ｐｙ近傍に設けられたスイッチング素子１２Ｐｙを介して第２のデータ信号線１５ｙに接続される。【００７０】
また、所定画素領域５Ｓの列方向（図中上側）に隣接する画素領域５Ｑについては、隣接画素領域５Ｑを横切る走査信号線１６Ｑと第１のデータ信号線１５ｘとの交差部２０Ｑｘが属する組（Ｂ）が、所定画素領域５Ｓを横切る走査信号線１６Ｓと第１のデータ信号線１５ｘとの交差部２０Ｓｘが属する組（Ａ）と異なるので、隣接画素領域５Ｑが有する２つの画素電極はともに、交差部２０Ｑｘ近傍に設けられたスイッチング素子１２Ｑｘを介して第１のデータ信号線１５ｘに接続される。【００７１】
以上の決まりに従って、各画素領域が有する２つの画素電極をそれらの両側に位置する２本データ信号線のいずれかに接続していけば本液晶パネルのアクティブマトリクス基板を構成することができる。【００７２】
ｎが２以上の場合についても、各交差部の組分けが異なるだけで以上の決まりは同じである。例えばｎが３の場合（すなわち、３Ｈ／１Ｖ反転駆動を行う液晶表示装置に用いる場合）、図２０のようになる。【００７３】
次に、図５・６を用いて、上記液晶パネルを備えた本液晶表示装置の駆動方法を説明する。なお、図５は本液晶表示装置の表示領域の一部を示す模式図であり、図６は図５の一部（太破線で囲んだ部分）を拡大して示す平面図である。【００７４】
２Ｈ／１Ｖ反転駆動を行う（データ信号線に印加される信号電位が対向電極電位Ｖｃｏｍに対して２水平期間ごとに極性反転する）本液晶表示装置では、図３・４に示す液晶パネルに対し、１フレーム期間においてＡ組に属する交差部近傍のスイッチング素子に−極性を供給するとともにＢ組に属する交差部近傍のスイッチング素子に＋極性を供給する。加えて、保持容量配線１８αには突き上げ電位を与え、これと隣り合う保持容量配線１８βには突き下げ電位を与え、これと隣り合う保持容量配線１８γには突き上げ電位を与え、これと隣り合う保持容量配線１８δには突き下げ電位を与えるというように、隣り合う保持容量配線同士に対し互いに逆方向の電位変動を与える（保持容量配線の電位制御については後に詳述）。これにより、図５のような表示が行われる。【００７５】
すなわち、図６に示すように、画素５ｑの第１の副画素は、データ信号線１５ｘから＋極性が書き込まれた後に保持容量配線１８αによる突き上げを受けるため明副画素となる。画素領域５ｑの第２の副画素は、データ信号線１５ｘから＋極性が書き込まれた後に保持容量配線１８βによる突き下げを受けるため暗副画素となる。【００７６】
また、画素５ｓの第１の副画素は、データ信号線１５ｘから−極性が書き込まれた後に保持容量配線１８βによる突き下げを受けるため明副画素となる。画素領域５ｓの第２の副画素は、データ信号線１５ｘから−極性が書き込まれた後に保持容量配線１８γによる突き上げを受けるため暗副画素となる。【００７７】
また、画素５ｐの第１の副画素は、データ信号線１５ｙから＋極性が書き込まれた後に保持容量配線１８γによる突き上げを受けるため明副画素となる。画素領域５ｐの第２の副画素は、データ信号線１５ｙから＋極性が書き込まれた後に保持容量配線１８δによる突き下げを受けるため暗副画素となる。【００７８】
このように、本液晶表示装置によれば、データ信号線を２Ｈ／１Ｖ反転駆動すれば、図５に示すように各画素はドット反転され、図３７にみられるような明副画素の偏りが発生しない。これにより、ざらつきのない鮮明な表示が可能となる。【００７９】
同様に、図２０の液晶パネルを用いた液晶表示装置において、データ信号線を３Ｈ／１Ｖ反転駆動すれば、各画素はドット反転され、ざらつきのない鮮明な表示が可能となる。【００８０】
本液晶パネルは図７のようにＭＶＡ（Multidomain Vertical Alignment）構成とすることもできる。なお、本液晶パネルは本アクティブマトリクス基板と液晶層とカラーフィルタ基板とを備えるが、図７では、液晶層は図示せず、カラーフィルタ基板についてはリブのみを図示している。図８（ａ）は、図７の一部を拡大して示す平面図である。【００８１】
図８（ａ）に示すように、アクティブマトリクス基板の各画素領域（図示せず）には、走査信号線１６を挟むように第１および第２副画素領域（図示せず）が設けられ、この第１副画素領域とカラーフィルタ基板の該第１副画素領域に対応する部分とを含むように第１副画素が構成されるとともに、この第２副画素領域とカラーフィルタ基板の該第２副画素領域に対応する部分とを含むように第２副画素が構成される。第１副画素には、第１副画素領域のほぼ全体に重なる第１の画素電極１７ａが設けられ、さらに、第１リブＬ１とスリット（画素電極スリット）Ｓ１〜Ｓ４とからなる第１配向規制用構造物が設けられる。また、第２副画素には、第２副画素領域のほぼ全体に重なる第２の画素電極１７ｂが設けられ、さらに、第２リブＬ２とスリット（画素電極スリット）Ｓ５〜Ｓ８とからなる第２配向規制用構造物が設けられる。そして、第１および第２副画素によって１つの画素５５が構成される。【００８２】
画素５５においては、走査信号線１６の一方の側に位置する第１副画素が、走査信号線１６に沿う端部Ｅ１とこれと向き合う端部Ｅ２とを有し、走査信号線１６のもう一方の側に位置する第２副画素が、走査信号線１６に沿う端部Ｅ１とこれに向き合う端部Ｅ２とを有する。ここで、カラーフィルタ基板の第１副画素に対応する部分には、行方向（図中左→右方向）に視てＶ字形状をなす第１リブＬ１が、端部Ｅ１に始端部Ｔが位置するとともに端部Ｅ２に終端部Ｍが位置するように設けられ、カラーフィルタ基板の第２副画素に対応する部分にも、行方向（図中左→右方向）に視てＶ字形状をなす第２リブＬ２が、端部Ｅ１に始端部Ｔが位置するとともに端部Ｅ２に終端部Ｍが位置するように設けられる。すなわち、第１リブＬ１の向きと第２リブＬ２の向きは同方向である。【００８３】
さらに、第１の画素電極１７ａには第１リブＬ１に対応して複数のスリットＳ１〜Ｓ４が設けられるとともに、第２の画素電極１７ｂには第２リブＬ２に対応して複数のスリットＳ５〜Ｓ８が設けられている。ここで、スリットＳ２・Ｓ４は第１リブＬ１の始端部Ｔから屈折部Ｋまでの部分とほぼ平行となるようにその両側に設けられ、スリットＳ１・Ｓ３は第１リブＬ１の屈折部Ｋから終端部Ｍまでの部分とほぼ平行となるようにその両側に設けられ、スリットＳ５・Ｓ７は第２リブＬ２の始端部Ｔから屈折部Ｋまでの部分とほぼ平行となるようにその両側に設けられ、スリットＳ６・Ｓ８は第２リブＬ２の屈折部Ｋから終端部Ｍまでの部分とほぼ平行となるようにその両側に設けられており、スリットＳ５〜Ｓ８の形状および第２リブＬ２に対する配置位置は、スリットＳ１〜Ｓ４の形状および第１リブＬ１に対する配置位置と同様である。なお、第１および第２リブＬ１・Ｌ２それぞれにおいて、始端部Ｔ、屈折部Ｋ、および終端部Ｍがなす角（∠ＴＫＭ）はおよそ９０°である。【００８４】
このように、スリットＳ１、第１リブＬ１の一辺（ＫＭ部分）、およびスリットＳ３はそれぞれ平行で、かつ走査信号線１６に対して斜めに（約４５°をなして）延伸し、スリットＳ２、第１リブＬ１の一辺（ＴＫ部分）、およびスリットＳ４はそれぞれ平行で、かつ走査信号線１６に対して斜めに（約１３５°をなして）延伸しており、第１リブＬ１の一辺（ＴＫ部分）の一部とスリットＳ４の一部とが第１副画素の端部（走査信号線１６に沿う部分）に位置している。一方、スリットＳ６、第２リブＬ２の一辺（ＫＭ部分）、およびスリットＳ８はそれぞれ平行で、かつ走査信号線１６に対して斜めに（約１３５°をなして）延伸し、スリットＳ５、第２リブＬ２の一辺（ＴＫ部分）、およびスリットＳ７はそれぞれ平行で、かつ走査信号線１６に対して斜め（約４５°をなして）に延伸しており、上記第２リブＬ２の一辺（ＴＫ部分）の一部とスリットＳ７の一部とが第２副画素の端部（走査信号線１６に沿う部分）に位置している。【００８５】
図３１（ａ）（ｂ）は、本液晶パネルを液晶表示装置に適用したときの模式的な断面図である。なお本液晶パネルでは、配向膜として垂直配向膜を用い、誘電異方性が負の液晶を用いている。同図に示されるように、本液晶表示装置では、黒表示時（アクティブマトリクス基板・カラーフィルタ基板間の電圧Ｖ＝０の場合）には液晶分子は直立する一方、中間調表示時には、液晶分子は、第１あるいは第２リブとスリットとで画される領域ごとに異なる方向に傾く（図３１（ｂ）の破線は電気力線を示している）。【００８６】
すなわち、カラーフィルタ基板の第１副画素に対応する部分に第１リブＬ１を設けるとともに第１の画素電極１７ａにスリットＳ１〜Ｓ４を設けることで、図８（ｂ）に示すように、第１リブＬ１の始端部Ｔから屈折部Ｋまでの部分の両側に配向領域Ｄ３・Ｄ４が形成されるとともに、第１リブＬ１の屈折部Ｋから終端部Ｍまでの部分の両側に配向領域Ｄ１・Ｄ２が形成され、かつ、スリットＳ１の第１リブＬ１と向き合わない側には配向領域Ｄ２が形成され、スリットＳ２の第１リブＬ１と向き合わない側には配向領域Ｄ３が形成され、スリットＳ３の第１リブＬ１と向き合わない側には配向領域Ｄ１が形成され、スリットＳ４の第１リブＬ１と向き合わない側には配向領域Ｄ４が形成される。同様に、カラーフィルタ基板の第２副画素に対応する部分に第２リブＬ２を設け、第２の画素電極１７ｂにスリットＳ５〜Ｓ８を設けることで、図８（ｂ）に示すように、第２リブＬ２の始端部Ｔから屈折部Ｋまでの部分の両側に配向領域Ｄ１・Ｄ２が形成されるとともに、第２リブＬ２の屈折部Ｋから終端部Ｍまでの部分の両側に配向領域Ｄ３・Ｄ４が形成され、かつ、スリットＳ５の第２リブＬ２と向き合わない側には配向領域Ｄ２が形成され、スリットＳ６の第２リブＬ２と向き合わない側には配向領域Ｄ３が形成され、スリットＳ７の第２リブＬ２と向き合わない側には配向領域Ｄ１が形成され、スリットＳ８の第２リブＬ２と向き合わない側には配向領域Ｄ４が形成される。これにより、本液晶パネルを用いた液晶表示装置の広視野角化を実現することができる。【００８７】
そして、本液晶パネルでは、図９（ａ）に示すように、列方向に隣接する２つの画素５５ｘ・５５ｙの一方である画素５５ｘに設けられた第１配向規制用構造物（リブ・スリット）の形状は、もう一方である画素５５ｙに設けられた第１配向規制用構造物（リブ・スリット）を１８０°回転させて得られる形状となっている。さらに、各画素において第１および第２配向規制用構造物の形状はほぼ同一であり、したがって、画素５５ｘに設けられた第２配向規制用構造物（リブ・スリット）の形状は、画素５５ｙに設けられた第２配向規制用構造物（リブ・スリット）を１８０°回転させて得られる形状となっている。すなわち、画素５５ｙに設けられるリブＬ１１〜１２並びに第１〜第２の画素電極１７ｃ・１７ｄおよびそのスリットＳ１１〜Ｓ１８は、画素５５ｘに設けられるリブＬ１〜２並びに第１〜第２の画素電極１７ａ・１７ｂおよびそのスリットＳ１〜Ｓ８を１８０°回転して得られるものである。具体的には、スリットＳ１１、第１リブＬ１１の一辺、およびスリットＳ１３はそれぞれ平行で、かつ走査信号線１６に対して斜めに（約１３５°をなして）延伸し、スリットＳ１２、第１リブＬ１１の一辺、およびスリットＳ１４はそれぞれ平行で、かつ走査信号線１６に対して斜めに（約４５°をなして）延伸しており、第１リブＬ１１の一辺の一部ＧとスリットＳ１４の一部Ｈとが第１副画素の端部（走査信号線１６に沿う部分）に位置している。一方、スリットＳ１６、第２リブＬ１２の一辺、およびスリットＳ１８はそれぞれ平行で、かつ走査信号線１６に対して斜めに（約４５°をなして）延伸し、スリットＳ１５、第２リブＬ１２の一辺、およびスリットＳ１７はそれぞれ平行で、かつ走査信号線１６に対して斜め（約１３５°をなして）に延伸しており、上記第２リブＬ１２の一辺（ＴＫ部分）の一部ＩとスリットＳ１７の一部Ｊとが第２副画素の端部（走査信号線１６に沿う部分）に位置している。また、画素５５ｘでは、図９（ａ）に示すように、第１リブＬ１の一辺の一部ＢとスリットＳ４の一部Ａとが第１副画素の端部（走査信号線１６に沿う部分）に位置し、第２リブＬ２の一辺の一部ＦとスリットＳ７の一部Ｃとが第２副画素の端部（走査信号線１６に沿う部分）に位置している。【００８８】
図９（ｂ）に、本液晶パネルを用いた液晶表示装置において画素５５ｘ・５５ｙに形成される配向領域Ｄ１〜Ｄ４の分布を示す。なお、画素５５ｘ・５５ｙそれぞれにおいて、第１副画素が明副画素に、第２副画素が暗副画素に対応するものとする。【００８９】
ここで、各画素においては走査信号線１６の近傍（走査信号線１６に沿う部分）の液晶配向が乱れることが知られているが、本液晶パネルでは、隣接する２つの画素５５ｘ・５５ｙにおいて、画素５５ｘにおける明副画素の配向領域Ｄ１〜Ｄ４それぞれの配向乱れ部分が、０（なし）・０（なし）・ＸＭ３・ＸＭ４α＋ＸＭ４βとなり、画素５５ｘにおける暗副画素の配向領域Ｄ１〜Ｄ４それぞれの配向乱れ部分が、ＸＡ１α＋ＸＡ１β・ＸＡ２・０（なし）・０（なし）となり、画素５５ｙにおける明副画素の配向領域Ｄ１〜Ｄ４それぞれの配向乱れ部分が、ＹＭ１・ＹＭ２α＋ＹＭ２β・０（なし）・０（なし）となり、画素５５ｙにおける暗副画素の配向領域Ｄ１〜Ｄ４それぞれの配向乱れ部分が、０（なし）・０（なし）・ＹＡ３α＋ＹＡ３β・ＹＡ４となる。【００９０】
したがって、２つの画素（５５ｘ・５５ｙ）を１単位としてみれば、２つの明副画素に含まれる配向領域Ｄ１〜Ｄ４それぞれの配向乱れ部分が、ＹＭ１・ＹＭ２α＋ＹＭ２β・ＸＭ３・ＸＭ４α＋ＸＭ４βとなり、また、２つの暗副画素に含まれる配向領域Ｄ１〜Ｄ４それぞれの配向乱れ部分が、ＸＡ１α＋ＸＡ１β・ＸＡ２・ＹＡ３α＋ＹＡ３β・ＹＡ４となる。【００９１】
以上から、本液晶パネルでは、列方向に隣接する画素５５ｘ・５５ｙに含まれる２つの明副画素が受ける配向乱れ部分が配向領域Ｄ１〜Ｄ４に分散されていることがわかる。さらに、本液晶パネルでは、ＹＭ１の大きさと、ＹＭ２αの大きさ＋ＹＭ２βの大きさと、ＸＭ３の大きさと、ＸＭ４αの大きさ＋ＸＭ４βの大きさとがほぼ等しくなるように各画素（５５ｘ・５５ｙ）の第１および第２配向規制用構造物が配設されていることから、配向領域Ｄ１〜Ｄ４それぞれの配向乱れ面積（各配向領域が受ける配向乱れの影響）はほぼ均一化されることになる。同様に、列方向に隣接する画素５５ｘ・５５ｙに含まれる２つの暗副画素が受ける配向乱れ部分が配向領域Ｄ１〜Ｄ４に分散されていることがわかる。さらに、本液晶パネルでは、ＸＡ１αの大きさ＋ＸＡ１βの大きさと、ＸＡ２の大きさと、ＹＡ３αの大きさ＋ＹＡ３βの大きさと、ＹＡ４の大きさとがほぼ等しくなるように各画素（５５ｘ・５５ｙ）の第１および第２配向規制用構造物が配設されていることから、配向領域Ｄ１〜Ｄ４それぞれの配向乱れ面積（各配向領域が受ける配向乱れの影響）はほぼ均一化される。以上のことは、各画素において明副画素と暗画素の位置が入れ替わっても同じである。【００９２】
なお、上記ＹＭ１の大きさは図９（ａ）のＧ・Ｈ間の長さ、ＹＭ２αのそれは同図のＰ・Ｇ間の長さ、ＹＭ２βのそれは同図のＨ・Ｑ間の長さ、ＸＭ３のそれは同図のＡ・Ｂ間の長さ、ＸＭ４αのそれは同図のＰ・Ａ間の長さ、ＸＭ４βのそれは同図のＢ・Ｑ間の長さで近似することができ、上記ＸＡ１αのそれは図２０のＰ・Ｃ間の長さ、ＸＡ１βのそれは同図のＦ・Ｑ間の長さ、ＸＡ２のそれは同図のＣ・Ｆ間の長さ、ＹＡ３αのそれは同図のＰ・Ｉ間の長さ、ＹＡ３βのそれは同図のＪ・Ｑ間の長さ、ＹＡ４のそれは同図のＩ・Ｊ間の長さで近似することができる。上記Ｐ・Ｑは走査信号線に沿う、副画素の両エッジを示している。【００９３】
このように、本液晶パネルによれば、走査信号線１６による配向乱れの影響を各配向領域（Ｄ１〜Ｄ４）に均一に分散させることができる。これにより、設計時に意図した視野角特性のバランスを可及的に維持することができ、視野角特性の優れた液晶表示装置を実現することができる。【００９４】
この点につき、以下に説明を加える。【００９５】
画素分割方式とＭＶＡモードを組み合わせた液晶表示装置においては、走査信号線に沿って配向乱れ部分が発生し、その分だけ配向領域の面積が減少して実質的には各配向領域の面積が異なる。この現象は、各方向（上下左右方向、あるいは右下、右上、左上、左下等）における視野角特性の悪化の原因となる。したがって、例えば、列方向に隣接する２つの画素のリブＬ１・Ｌ２の向きが同じであれば、走査信号線に沿う配向乱れ部分の影響が特定の配向領域に偏ってしまい、各方向における視野角特性に大きな差異が生じる。しかしながら、本液晶パネルでは、列方向に隣接する２つの画素のリブＬ１・Ｌ２の向きを逆にしているので、走査信号線１６に沿う配向乱れ領域の影響を各配向領域Ｄ１〜Ｄ４に分散され、各方向における視野角特性に大きな差異が生じないようにすることができる。【００９６】
また、上記図７・図８（ａ）に示す液晶パネルでは、１画素内に設けられる第１および第２のリブ（Ｌ１・Ｌ２）が繋がっていない（それぞれが間隙をおいて独立している）ため、例えば液晶滴下注入法（後述）を用いる場合に、液晶中に真空気泡が発生することを抑制することができる。第１および第２リブの間隙によって液晶が広がりやすくなるためである。また、配向膜をインクジェット法で形成する場合にも、第１および第２リブの間隙によって配向膜が広がりやすくなり、配向膜の形成ムラを抑制することができる。【００９７】
なお、図７・図８（ａ）の液晶パネルは、図２９に示すように、第１リブＬ１と第２リブＬ２とを、走査信号線１６と重なるように配設されたリブＬｃで繋げた構成とすることもできる。この場合、１つの画素にジグザグ形状のリブが設けられることになる。【００９８】
また、本液晶パネルは、図３０のように構成することもできる。この構成は、図８（ａ）における第１リブＬ１の替わりに、その位置に第１共通電極スリット（共通電極に設けられたスリット）Ｓｐを設け、第２リブＬ２の替わりに、その位置に第２共通電極スリットＳｑを設けた構成であり、他の構成は図８（ａ）と同様である。図３２（ｂ）は、該構成の液晶パネルを液晶表示装置に適用したときの模式的な断面図である。同図に示されるように、黒表示時（アクティブマトリクス基板・カラーフィルタ基板間の電圧Ｖ＝０の場合）には液晶分子は直立する一方、中間調表示時には、液晶分子は、第１共通電極スリットＳｐと第１の画素電極１７ａに形成される各スリットＳ、または第２共通電極スリットＳｑと第２の画素電極１７ｂに形成される各スリットＳで画される領域ごとに異なる方向に傾く（図３１（ｂ）の破線は電気力線を示している）。これにより、第１および第２副画素それぞれに４つの配向領域（図９（ｂ）と同様）が形成される。【００９９】
本液晶パネルは、図１０に示すように、各画素において、接続するスイッチング素子１２の方にリブを向ける構成としてもよい。すなわち、図１１・１２に示すように、隣り合うデータ信号線１５ｘ・１５ｙ間に位置するとともにデータ信号線１５ｘに接続するスイッチング素子１２を有する画素５５に設けられたリブＬ１・Ｌ２は、その始端部Ｔおよび終端部Ｈがその屈折部Ｋよりもデータ信号線１５ｘ側に位置している構成である。こうすれば、第１のドレイン引き出し配線２７ａの大部分を第１のリブＬ１下に形成し、また、第２のドレイン引き出し配線２７ｂの大部分を第２のリブＬ２下に形成することができるため、画素５５の開口率を向上させることができる。【０１００】
なお、図１１のＹラインによる断面図を図１９に示しておく。本アクティブマトリクス基板３では、基板３１上に走査信号線１６や保持容量配線（図示せず）が形成され、その上層にゲート絶縁膜２３を介して第１のドレイン引き出し配線２７ａが形成され、その上層に層間絶縁膜２５を介して第１の画素電極１７ａが形成される。また、第１の画素電極１７ａを覆うように配向膜９が形成される。なお、コンタクトホール１１ａでは層間絶縁膜２５が除去され、第１のドレイン引き出し配線２７ａと第１の画素電極１７ａとが接続される。カラーフィルタ基板３０は液晶層４０を介してアクティブマトリクス基板３と対向している。カラーフィルタ基板３０においては、基板３２上に、画素電極１７ａと対応する位置に形成されたカラーフィルタ１４とそれらの間隙を埋めるブラックマトリクス１３とが形成される。カラーフィルタ１４およびブラックマトリクス１３上には対向電極２８が形成され、対向電極２８の一部上にリブＬが形成される。また、対向電極２８とリブＬを覆うように配向膜１９が形成される。【０１０１】
本液晶パネルは、図１３に示すように構成してもよい。すなわち、第１の保持容量配線１８ａからは第１の画素電極１７ａと重なるように第１の保持容量配線延伸部３８ａが延伸するとともに、第２の保持容量配線１８ｂからは第２の画素電極１７ｂと重なるように第２の保持容量配線延伸部３８ｂが延伸し、第１の保持容量配線延伸部３８ａが第１のリブＬ１と重なるとともに、第２の保持容量配線延伸部３８ｂが第２のリブＬ２に重なる。さらに、第１のドレイン引き出し配線２７ａは、第１の保持容量配線延伸部３８ａと重なる第１の重畳部３３ａを有するとともに、第２のドレイン引き出し配線２７ｂは、第２の保持容量配線延伸部３８ｂと重なる第２の重畳部３３ｂを有する。なお、第１のドレイン引き出し配線２７ａの大部分は第１のリブＬ１下に形成され、第２のドレイン引き出し配線２７ｂの大部分は第２のリブＬ２下に形成されている。なお、図１３のＸラインによる断面図を図１８に示しておく。すなわち、本アクティブマトリクス基板３では、基板３１上に走査信号線１６や第１の保持容量配線延伸部３８ａが形成され、その上層にゲート絶縁膜２３を介して第１のドレイン引き出し配線２７ａが形成され、その上層に層間絶縁膜２５を介して第１の画素電極１７ａが形成される。また、第１の画素電極１７ａを覆うように配向膜９が形成される。カラーフィルタ基板３０は液晶層４０を介してアクティブマトリクス基板３と対向している。カラーフィルタ基板３０においては、基板３２上に、画素電極１７ａと対応する位置に形成されたカラーフィルタ１４とそれらの間隙を埋めるブラックマトリクス１３とが形成される。カラーフィルタ１４およびブラックマトリクス１３上には対向電極２８が形成され、対向電極２８の一部上にリブＬが形成される。また、対向電極２８とリブＬを覆うように配向膜１９が形成される。そして、リブＬ下において、第１の保持容量配線延伸部３８ａの一部と第１のドレイン引き出し配線２７ａの一部（第１の重畳部）とがゲート絶縁膜２３を介して重畳している。【０１０２】
こうすれば、例えば、第１のトランジスタ１２ａに動作不良が発生した場合に、第１の重畳部３３ａ下の絶縁膜を貫通させて第１の保持容量配線延伸部３８ａと第１のドレイン引き出し配線２７ａとを接続するとともに、このドレイン引き出し配線２７ａを、第１のコンタクトホール１１ａと第１のドレイン電極８ａとの間で断線させることができる。これにより、欠陥画素に存在する第１の画素電極１７ａと第１の保持容量配線１８ａとを第１の保持容量配線延伸部３８ａを介して接続することができ、該第１の画素電極１７ａを第１の保持容量配線１８ａの電位に落とすことができる。この結果、ノーマリーブラックの液晶表示装置において、動作不良が発生した欠陥画素を黒点化し、目立ち難くすることができる。【０１０３】
図１０に示す液晶パネルを図１４のように変形することもできる。すなわち、各スイッチング素子１２の形状は変えずに、列方向（図中上下方向）について１画素ごとにリブの向きを逆にする。この場合、スイッチング素子１２の接続する方にリブが向いている画素は図１１のようになるが、スイッチング素子１２の接続する方にリブが向いていない画素は図１５のようになる。この場合、各ドレイン引き出し配線２７ａ２７ｂやコンタクトホール１１ａ・１１ｂは上下にリブやスリットがない部分に位置している。そこで、図１５のように、各ドレイン引き出し配線２７ａ・２７ｂにコンタクトホール１１ａ・１１ｂと交差する刳り貫き部９９ａ・９９ｂを形成する。こうすれば、開口率が高められる。また、コンタクトホールと刳り貫き部とが交差しているため、アライメントずれがあってもコンタクト面積が減少しにくいという利点もある。【０１０４】
本液晶パネルを図１６のように構成してもよい。すなわち、第１のドレイン引き出し配線２７ａ上に２つのコンタクトホールｃ・ｄを形成し、さらに第１のドレイン引き出し配線２７ａに、コンタクトホールｃ・ｄそれぞれと直交する延伸形状の刳り貫き部ｅ・ｆを形成する。ここで、一方の刳り貫き部の延伸方向が列方向であってもう一方の刳り貫き部の延伸方向が行列方向とする。こうすれば、アライメントずれがあってもコンタクト面積が減少しにくいという効果が得られる。【０１０５】
また、本液晶パネルは、図１７のように構成してもよい。すなわち、第１の保持容量配線１８ａからは第１の画素電極１７ａと重なるように第１の保持容量配線延伸部３８ａが延伸するとともに、第２の保持容量配線１８ｂからは第２の画素電極１７ｂと重なるように第２の保持容量配線延伸部３８ｂが延伸し、第１の保持容量配線延伸部３８ａが第１のリブＬ１と重なるとともに、第２の保持容量配線延伸部３８ｂが第２のリブＬ２に重なる。さらに、第１のドレイン引き出し配線２７ａは、第１の保持容量配線延伸部３８ａと重なる第１の重畳部３３ａを有するとともに、第２のドレイン引き出し配線２７ｂは、第２の保持容量配線延伸部３８ｂと重なる第２の重畳部３３ｂを有する。ここで、第１のドレイン引き出し配線２７ａは、第２のドレイン電極８ａと第１のコンタクトホール１１ａとの間にスリットＳと重なる部分を有し、第２のドレイン引き出し配線２７ｂは、第２のドレイン電極８ｂと第２のコンタクトホール１１ｂとの間にスリットＳと重なる部分を有する。【０１０６】
こうすれば、例えば、第１のトランジスタ１２ａに動作不良が発生した場合に、第１の重畳部３３ａ下の絶縁膜を貫通させて第１の保持容量配線延伸部３８ａと第１のドレイン引き出し配線２７ａとを接続するとともに、このドレイン引き出し配線２７ａを、第１のコンタクトホール１１と第１のドレイン電極８ａとの間の画素電極がない部分（スリットＳの下）で断線させることができ、この断線工程が容易になる。【０１０７】
また、本液晶パネルは、図２８のように構成してもよい。すなわち、赤（Ｒ）、緑（Ｇ）、青（Ｂ）に対応する行方向に並んだ３つの画素領域を１つの画素領域群として、行方向に隣接する２つの画素領域群に含まれる２つの同色の画素領域について、一方の画素領域上に設けられた各リブの形状は、もう一方の画素領域上に設けられた各リブを１８０°回転させて得られる形状とする。こうすれば、本液晶パネルを備えた液晶表示装置において、上記同色の画素（２画素）単位で考えたときに、走査信号線１６に沿う配向乱れ領域の影響が各配向領域に分散され、各方向における視野角特性に大きな差異が生じないようにすることができる。【０１０８】
以下に、アクティブマトリクス基板の製造方法の一例を説明する。【０１０９】
まず、ガラス、プラスチック等の透明絶縁性基板上に、例えばチタン、クロム、アルミニウム、モリブデン、タンタル、タングステン、銅等の金属膜あるいはそれらの合金膜またはそれらの積層膜を１０００Å〜３０００Åの膜厚でスパッタリング法等の方法にて成膜し、これをフォトエッチング法にて必要な形状にパターニングすることによって、走査信号線（各トランジスタのゲート電極としても機能する）と各保持容量配線とを形成する。【０１１０】
ついで、ゲート絶縁膜となる窒化シリコン膜（ＳｉＮｘ）、アモルファスシリコンやポリシリコン等からなる高抵抗半導体層、およびｎ＋アモルファスシリコン等の低抵抗半導体層を、プラズマＣＶＤ（化学的気相成長）法等により連続して成膜し、フォトエッチング法によりパターニングする。なお、ゲート絶縁膜としての窒化シリコン膜は、例えば３０００Å〜５０００Å程度の膜厚とし、高抵抗半導体層としてのアモルファスシリコン膜は、例えば１０００Å〜３０００Å程度の膜厚とし、低抵抗半導体層としてのｎ＋アモルファスシリコン膜は、例えば４００Å〜７００Å程度の膜厚とする。【０１１１】
次いで、チタン、クロム、アルミニウム、モリブデン、タンタル、タングステン、銅等の金属膜あるいはそれらの合金膜、またはそれらの積層膜を１０００Å〜３０００Åの膜厚でスパッタリング法等の方法にて形成し、フォトエッチング法等にて必要な形状にパターニングすることによって、データ信号線、ソース電極、ドレイン電極、およびドレイン引き出し配線を形成する。【０１１２】
次いで、アモルファスシリコン膜等の高抵抗半導体層（ｉ層）、ｎ＋アモルファスシリコン膜等の低抵抗半導体層（ｎ＋層）に対して、データ信号線、ソース電極、ドレイン電極、およびドレイン引き出し電極のパターンをマスクにし、ドライエッチングにてチャネルエッチングを行う。このプロセスにてｉ層の膜厚が最適化され、各トランジスタ（チャネル領域）が形成される。ここでは、データ信号線、ソース電極、ドレイン電極、およびドレイン引き出し電極にて覆われていない半導体層がエッチング除去され、各トランジスタの能力に必要なｉ層膜厚が残される。【０１１３】
ついで、層間絶縁膜として、感光性アクリル樹脂膜あるいは窒化シリコン、酸化シリコン等の無機絶縁膜、またはそれらの積層膜等を、各トランジスタ（チャネル領域）、走査信号線、データ信号線、ソース電極、ドレイン電極、およびドレイン引き出し配線を覆うように形成する。ここでは、プラズマＣＶＤ法等により成膜した２０００Å〜５０００Å程度の膜厚の窒化シリコン膜やスピンコート法により形成した２００００Å〜４００００Åの膜厚の感光性アクリル樹脂膜あるいはそれらの積層膜を用いることができる。本アクティブマトリクス基板では、層間絶縁膜（パッシベーション膜）として窒化シリコン膜を形成している。なお、層間絶縁膜に、ポリイミド樹脂膜、感光性を有しない樹脂膜、あるいはスピンオンガラス（ＳＯＧ）膜等を用いることもできる。【０１１４】
ついで、コンタクトホールの位置に基づいて、層間絶縁膜をエッチングしてホールを形成する。ここでは、例えば、感光性レジストをフォトリソグラフィー法（露光および現像）によりパターニングし、エッチングを行う。【０１１５】
ついで、層間絶縁膜上に、例えば、ＩＴＯ（インジウム錫酸化物）、ＩＺＯ、酸化亜鉛、酸化スズ等の透明性を有する導電膜を、スパッタリング法等により１０００Å〜２０００Å程度の膜厚で成膜し、これをフォトエッチング法等にて必要な形状にパターニングすることによって各画素電極を形成する。なお、ＭＶＡ液晶パネルに用いるアクティブマトリクス基板では、各画素電極はスリット等を含む形状に形成される。【０１１６】
そして、配向膜をインクジェット法等により塗布する。以上によりアクティブマトリクス基板が形成される。【０１１７】
次に、アクティブマトリクス基板と対向基板であるカラーフィルタ基板との間に液晶を封入する方法等について説明する。【０１１８】
液晶の封入方法については、熱硬化型シール樹脂に液晶注入のための注入口を設け、真空で注入口を液晶に浸し、大気開放することによって液晶を注入し、その後ＵＶ硬化樹脂などで注入口を封止する方法（真空注入法）で行ってもよい。また、以下に示すような液晶滴下貼り合せ法で行っても良い。【０１１９】
アクティブマトリクス基板側の周囲にファイバーガラスなどのスペーサを含有したＵＶ硬化型シール樹脂を塗布し、液晶滴下法を用いてカラーフィルタ基板側に液晶の滴下を行う。液晶滴下法により最適な液晶量をシールの内側部分に規則的に滴下することができる。この滴下量は、セルギャップ値とセル内に液晶が充填されるべき容積値により決定される。【０１２０】
続いて、上記のようにシール描画および液晶滴下を行ったカラーフィルタ基板とアクティブマトリクス基板とを貼り合わせるため、貼り合わせ装置内の雰囲気を１Ｐａまで減圧を行い、この減圧下において両基板の貼り合わせを行う。このように雰囲気を大気圧にすることでシール部分が押しつぶされる。【０１２１】
次に、ＵＶ硬化装置にてＵＶ照射を行い、シール樹脂の仮硬化を行う。そして、シール樹脂の最終硬化を行うためにベークを行う。この時点でシール樹脂の内側に液晶が行き渡り液晶がセル内に充填された状態に至る。【０１２２】
なお、カラーフィルタ基板には、アクティブマトリクス基板の各画素に対応してマトリクス状に配置された着色層（Ｒ・Ｇ・Ｂ）、各着色層の間隙に設けられたブラックマトリクス、対向電極（共通電極）等が形成されており、このようなカラーフィルタ基板と本アクティブマトリクス基板とを貼り合わせ、上記のように液晶を注入・封止することによって本液晶パネルが形成される。【０１２３】
本実施の形態では、以下のようにして、本液晶表示ユニットおよび液晶表示装置を構成する。【０１２４】
すなわち、図２７に示すように、液晶パネルの両面に、２枚の偏光板Ａ・Ｂを、偏光板Ａの偏光軸と偏光板Ｂの偏光軸とが互いに直交するように貼り付ける。なお、偏光板には必要に応じて、光学補償シート等を積層してもよい。次に、図２３（ａ）に示すように、ドライバ（ゲートドライバ１０２、ソースドライバ１０１）を接続する。ここでは、一例として、ドライバをＴＣＰ（ＴａｐｅＣａｒｅｅｒＰａｃｋａｇｅ）方式による接続について説明する。まず、液晶パネルの端子部にＡＣＦ（ＡｎｉｓｏｔｏｒｏｐｉＣｏｎｄｕｋｔｉｖｅＦｉｌｍ）を仮圧着する。ついで、ドライバが乗せられたＴＣＰをキャリアテープから打ち抜き、パネル端子電極に位置合わせし、加熱、本圧着を行う。その後、ドライバＴＣＰ同士を連結するための回路基板１０３（ＰＷＢ：Ｐｒｉｎｔｅｄ ｗｉｒｉｎｇ ｂｏａｒｄ）とＴＣＰの入力端子とをＡＣＦで接続する。これにより、液晶表示ユニット１００が完成する。【０１２５】
その後、図２３（ｂ）に示すように、液晶表示ユニットの各ドライバ（１０１・１０２）に、回路基板１０３を介して表示制御回路１１３を接続し、照明装置（バックライトユニット）１０４と一体化することで、液晶表示装置１１０となる。【０１２６】
図２１は、本液晶表示装置の各部の動作を示すタイミングチャートである。ここでは、データ信号線１５を、上記した２Ｈ／１Ｖ反転駆動する場合について示している。なお、Ｖｇは走査信号線１６の電圧、Ｖｓはデータ信号線１５の電圧（ソース電圧）、Ｖｃｓ１は第１の保持容量配線１８ａの電圧、Ｖｃｓ２は第２の保持容量配線１８ｂの電圧、Ｖｌｃ１は第１の画素電極１７ａの電圧、Ｖｌｃ２は第２の画素電極１７ｂの電圧である。また、第１の保持容量配線１８ａの電圧および第２の保持容量配線１８ｂの電圧をそれぞれ振幅電圧Ｖａｄで振幅させるとともに、両者の位相を１８０度ずらす。すなわち、Ｔ２でＶｇが「Ｌ」となった（各ＴＦＴ１２ａ・１２ｂがオフした）直後に、Ｖｃｓ１が「Ｈ」、Ｖｃｓ２が「Ｌ」となるように両者を制御する。【０１２７】
また、図２２のように、Ｖｃｓ１を、Ｔ２でＶｇが「Ｌ」となった（各ＴＦＴ１２ａ・１２ｂがオフした）直後のＴ３で「Ｈｉｇｈ」になったまま（あるいは「Ｌｏｗ」になったまま）の波形とし、Ｖｃｓ２を、Ｔ３から１水平期間（１Ｈ）後のＴ４で「Ｌｏｗ」になったまま（あるいは「Ｈｉｇｈ」になったまま）の波形とすることもできる。すなわち、各トランジスタがオフされた後に、Ｖｃｓ１を突き上げて該フレームではこの突き上げたままの状態を維持するとともに、Ｖｃｓ１の突き上げから１Ｈ期間ずらしてＶｃｓ２を突き下げて該フレームではこの突き下げたままの状態を維持するような電位制御を行うか、あるいは、各トランジスタがオフされた後に、Ｖｃｓ１を突き下げて該フレームではこの突き下げたままの状態を維持するとともに、Ｖｃｓ１の突き下げから１Ｈ期間ずらしてＶｃｓ２を突き上げて該フレームではこの突き上げたままの状態を維持するような電位制御を行う。こうすれば、Ｖｃｓ１およびＶｃｓ２波形のなまりがドレイン実効電位に与える影響が小さくなり、輝度ムラの低減に有効である。【０１２８】
図３３は、本液晶表示装置における画素と各配線（データ信号線・走査信号線・保持容量配線）との接続関係および本液晶表示装置の駆動方法を示す模式図であり、図３４は、本液晶表示装置の駆動方法の一例を示すタイミングチャートである。【０１２９】
図３３に示すように、本液晶表示装置では、データ信号線（１５Ｙ・１５Ｘ）、走査信号線（Ｇ１〜Ｇ６）、および保持容量配線（Ｃｓ１〜Ｃｓ６）を含み、走査信号線の延伸方向を行方向（図中左右方向）とすれば、行および列方向に、図中細破線で囲んでいる画素が並べられている。なお、１つの画素に設けられた２つの画素電極それぞれが、スイッチング素子を介して同一の走査信号線およびデータ信号線に接続されるとともに、異なる保持容量配線と容量を形成しており、列方向に隣り合う２つの画素の一方に設けられた２つの画素電極の１つと他方に設けられた２つの画素電極の１つとが、同一の保持容量配線と容量を形成している。例えば、画素ＰＸ１に設けられた２つの画素電極それぞれが、スイッチング素子を介して走査信号線Ｇ１およびデータ信号線１５Ｙに接続されるとともに、異なる保持容量配線（Ｃｓ１・Ｃｓ２）と容量を形成しており、列方向に隣り合う２つの画素の一方（ＰＸ１）に設けられた２つの画素電極の１つと他方（ＰＸ２）に設けられた２つの画素電極の１つとが、同一の保持容量配線Ｃｓ２と容量を形成している。【０１３０】
ここで、同一画素列内の任意の画素に設けられた２つの画素電極は、隣り合う２本のデータ信号線の一方に接続されるかあるいは他方に接続されており、上記画素列において、連続する２個（ｎ＝２）の画素を順次ブロックとしていくと、同一ブロックに属し、かつ列方向に隣り合う２つの画素については、その一方に設けられる２つの画素電極が接続するデータ信号線と他方に設けられる２つの画素電極が接続するデータ信号線とが異なり、互いに異なるブロックに属し、かつ列方向に隣り合う２つの画素については、その一方に設けられる２つの画素電極が接続するデータ信号線と他方に設けられる２つの画素電極が接続するデータ信号線とが同じとなっている。例えば、画素列ＰＬｊ内の任意の画素（ＰＸ１〜ＰＸ５）に設けられた２つの画素電極は、隣り合う２本のデータ信号線の一方（１５Ｙ）に接続されるかあるいは他方（１５Ｘ）に接続されており、画素列ＰＬｊにおいて、連続する画素ＰＸ１・ＰＸ２をブロックとし、ついで画素ＰＸ３・ＰＸ４をブロックとすると、同一ブロックに属し、かつ列方向に隣り合う２つの画素ＰＸ１・ＰＸ２については、その一方ＰＸ１に設けられる２つの画素電極がデータ信号線１５Ｙに接続され、他方ＰＸ２に設けられる２つの画素電極がデータ信号線１５Ｘに接続される。また、互いに異なるブロックに属し、かつ列方向に隣り合う２つの画素ＰＸ２・ＰＸ３については、その一方ＰＸ２に設けられる２つの画素電極が上記のとおりデータ信号線１５Ｘに接続され、他方ＰＸ３に設けられる２つの画素電極もデータ信号線１５Ｘに接続される。【０１３１】
本液晶表示装置では、図３３のデータ信号線１５Ｙに対応するデジタルデータＤＡＴ（１５Ｙ）、同図のデータ信号線１５Ｘに対応するデジタルデータＤＡＴ（１５Ｘ）、上記データ信号線１５Ｙに供給する信号電位Ｖｓ（１５Ｙ）、上記データ信号線１５Ｘに供給する信号電位Ｖｓ（１５Ｘ）、および同図の保持容量配線Ｃｓ１・・・に供給するＣｓ信号（保持容量配線信号）Ｓｃｓ１・・・を、例えば図３４のように設定する。なお、図中のＨは水平期間（水平走査期間）を意味する。ここで、Ｖｓ（１５Ｙ）はＤＡＴ（１５Ｙ）のアナログ変換によって得られ、Ｖｓ（１５Ｘ）はＤＡＴ（１５Ｘ）のアナログ変換によって得られる。【０１３２】
図３４に示すように、本液晶表示装置では、画素列ＰＬｉ用ＤＡＴ（デジタルデータ）および画素列ＰＬｊ用ＤＡＴ（デジタルデータ）から、ＤＡＴ（１５Ｙ）を生成し、画素列ＰＬｊ用ＤＡＴ（デジタルデータ）および画素列ＰＬｋ用ＤＡＴ（デジタルデータ）から、ＤＡＴ（１５Ｘ）を生成している。例えば、ＤＡＴ（１５Ｙ）では、１番目の水平期間、４番目の水平期間、５番目の水平期間に、画素列ＰＬｊの画素ＰＸ１、ＰＸ４、ＰＸ５に対応するデータが配され、２番目の水平期間、３番目の水平期間、６番目の水平期間に、画素列ＰＬｉの２行目、３行目、６行目の画素に対応するデータが配されている。また、ＤＡＴ（１５Ｘ）では、２番目の水平期間、３番目の水平期間に、画素列ＰＬｊの画素ＰＸ２、ＰＸ３に対応するデータが配され、１番目の水平期間、４番目の水平期間、５番目の水平期間に、画素列ＰＬｋの１行目、４行目、５行目の画素に対応するデータが配されている。【０１３３】
また、ＤＡＴ（１５Ｙ）のアナログ変換によって得られるＶｓ（１５Ｙ）は、１・２番目の水平期間が基準電位以下（−極性）、３・４番目の水平期間が基準電位以上（＋極性）、５・６番目の水平期間が基準電位以下（−極性）となっている。一方、ＤＡＴ（１５Ｘ）のアナログ変換によって得られるＶｓ（１５Ｘ）では、１・２番目の水平期間が基準電位以上（＋極性）、３・４番目の水平期間が基準電位以下（−極性）、５・６番目の水平期間が基準電位以上（＋極性）となっている。すなわち、１本のデータ信号線には、基準電位以上の信号電位（＋極性）と基準電位以下（−極性）の信号電位とが、２（ｎ＝２）水平期間ごとに交互に供給され、隣り合う２本のデータ信号線の一方（１５Ｘ）に、例えば基準電位以上の信号電位（＋極性）が供給される水平期間においては、他方（１５Ｙ）に基準電位以下の信号電位（−極性）が供給される。【０１３４】
また、Ｃｓ信号Ｓｃｓ１・・・は、周期的（基本周期１３Ｈ）のレベルシフトによってレベル（「Ｈｉｇｈ」＆「Ｌｏｗ」）が入れ替わる信号であり、１つの画素に設けられた２つの画素電極と容量を形成する２本の保持容量配線それぞれに供給されるＣｓ信号は、該２つの画素電極が接続する走査信号線が走査された後の最初のレベルシフトが互いに逆向きになっている。例えば、図３３の画素ＰＸ１に設けられた２つの画素電極と容量を形成する２本の保持容量配線Ｃｓ１・Ｃｓ２それぞれに供給されるＣｓ信号Ｓｃｓ１・Ｓｃｓ２についてみると、Ｃｓ信号Ｓｃｓ１は、該２つの画素電極が接続する走査信号線Ｇ１が走査された後の最初のレベルシフトがマイナス（突き下げ）方向であり、Ｃｓ信号Ｓｃｓ２は、走査信号線Ｇ１が走査された後の最初のレベルシフトがプラス（突き上げ）方向となっている。【０１３５】
より具体的には、Ｃｓ信号Ｓｃｓ１は、走査信号線Ｇ１の走査よりも１１Ｈ前に「Ｌ」から「Ｈ」にレベルシフトして該走査まで実質的に同レベルを維持し、かつこの走査後となる３番目の水平期間の開始タイミングに同期して「Ｈ」から「Ｌ」にレベルシフトする。一方、Ｃｓ信号Ｓｃｓ２は、走査信号線Ｇ１の走査よりも１１Ｈ前に「Ｈ」から「Ｌ」にレベルシフトして該走査まで実質的に同レベルを維持し、かつこの走査後となる３番目の水平期間の開始タイミングに同期して「Ｌ」から「Ｈ」にレベルシフトするように設定されている。ここでは、保持容量配線の電位波形の鈍りを考慮して、Ｃｓ信号Ｓｃｓ１・Ｓｃｓ２を、走査信号線Ｇ１やＧ２の走査よりも１０Ｈ以上（一定期間以上）前にレベルシフトするように設定している。なお、Ｃｓ信号Ｓｃｓ１以降の奇数番のＣｓ信号は順に２Ｈずつ位相が遅れるように設定され、Ｃｓ信号Ｓｃｓ２以降の偶数番のＣｓ信号も順に２Ｈずつ位相が遅れるように設定されている。【０１３６】
このように、本液晶表示装置を図３４のように駆動すれば、各画素に書き込まれる信号電位の極性（＋極性・−極性）をドット反転させることができる。これにより、図３３に示すような明副画素／暗副画素の市松配置が実現され、鮮明な表示が可能となる。【０１３７】
なお、以上の説明では走査信号線の延伸方向を行方向、データ信号線の延伸方向を列方向としているが、これは説明の便宜に過ぎない。走査信号線が横方向に延伸するようなアクティブマトリクス基板では横方向＝行方向、走査信号線が縦方向に延伸するようなアクティブマトリクス基板では縦方向＝行方向と考えることになる。【０１３８】
次に、本液晶表示装置をテレビジョン受信機に適用するときの一構成例について説明する。図２４は、テレビジョン受信機用の液晶表示装置１１０の構成を示すブロック図である。液晶表示装置１１０は、液晶表示ユニット１００と、Ｙ／Ｃ分離回路８０と、ビデオクロマ回路８１と、Ａ／Ｄコンバータ８２と、液晶コントローラ８３と、バックライト駆動回路８５と、バックライト８６と、マイコン（マイクロコンピュータ）８７と、階調回路９８とを備えている。【０１３９】
上記液晶表示ユニット１００は、上記各実施の形態で示した液晶パネルと、これを駆動するためのソースドライバおよびゲートドライバとを含んでいる。【０１４０】
上記構成の液晶表示装置１１０では、まず、テレビジョン信号としての複合カラー映像信号Ｓｃｖが外部からＹ／Ｃ分離回路８０に入力され、そこで輝度信号と色信号に分離される。これらの輝度信号と色信号は、ビデオクロマ回路８１にて光の３原色に対応するアナログＲＧＢ信号に変換され、さらに、このアナログＲＧＢ信号はＡ／Ｄコンバータ８２により、デジタルＲＧＢ信号に変換される。このデジタルＲＧＢ信号は液晶コントローラ８３に入力される。また、Ｙ／Ｃ分離回路８０では、外部から入力された複合カラー映像信号Ｓｃｖから水平および垂直同期信号も取り出され、これらの同期信号もマイコン８７を介して液晶コントローラ８３に入力される。【０１４１】
液晶表示ユニット１００には、液晶コントローラ８３からデジタルＲＧＢ信号が、上記同期信号に基づくタイミング信号と共に所定のタイミングで入力される。また、階調回路９８では、カラー表示の３原色Ｒ，Ｇ，Ｂそれぞれの階調電圧が生成され、それらの階調電圧も液晶表示ユニット１００に供給される。液晶表示ユニット１００では、これらのＲＧＢ信号、タイミング信号および階調電圧に基づき内部のソースドライバやゲートドライバ等により駆動用信号（データ信号、走査信号等）が生成され、それらの駆動用信号に基づき内部の表示部にカラー画像が表示される。なお、この液晶表示ユニット１００によって画像を表示するには、液晶表示ユニット１００の後方から光を照射する必要があり、この液晶表示装置１１０では、マイコン８７の制御の下にバックライト駆動回路８５がバックライト８６を駆動することにより、本液晶パネルの裏面に光が照射される。【０１４２】
上記の処理を含め、システム全体の制御はマイコン８７が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置１１０では、様々な映像信号に基づいた画像表示が可能である。【０１４３】
液晶表示装置１１０でテレビジョン放送に基づく画像を表示する場合には、図２５に示すように、液晶表示装置１１０にチューナー部９０が接続され、これによって本テレビジョン受像機６０１が構成される。このチューナー部９０は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置１１０に入力され、この複合カラー映像信号Ｓｃｖに基づく画像が液晶表示装置１１０によって表示される。【０１４４】
図２６は、本テレビジョン受像機の一構成例を示す分解斜視図である。図２６に示すように、本テレビジョン受像機６０１は、その構成要素として、液晶表示装置１１０の他に第１筐体８０１および第２筐体８０６を有しており、液晶表示装置１１０を第１筐体８０１と第２筐体８０６とで包み込むようにして挟持した構成となっている。第１筐体８０１には、表示装置８００で表示される画像を透過させる開口部８０１ａが形成されている。また、第２筐体８０６は、表示装置８００の背面側を覆うものであり、当該表示装置８００を操作するための操作用回路８０５が設けられると共に、下方に支持用部材８０８が取り付けられている。【０１４５】
本発明は上述した各実施形態に限定されるものではなく、異なる実施形態にそれぞれ開示された技術的手段を適宜組み合わせて得られる実施形態についても本発明の技術的範囲に含まれる。
【産業上の利用可能性】
【０１４６】
本発明の液晶パネルおよび液晶表示装置は、例えば液晶テレビに好適である。
【図１】
2008139757.tif 000003
【図２】
2008139757.tif 000004
【図３】
2008139757.tif 000005
【図４】
2008139757.tif 000006
【図５】
2008139757.tif 000007
【図６】
2008139757.tif 000008
【図７】
2008139757.tif 000009
【図８】
2008139757.tif 000010
【図９】
2008139757.tif 000011
【図１０】
2008139757.tif 000012
【図１１】
2008139757.tif 000013
【図１２】
2008139757.tif 000014
【図１３】
2008139757.tif 000015
【図１４】
2008139757.tif 000016
【図１５】
2008139757.tif 000017
【図１６】
2008139757.tif 000018
【図１７】
2008139757.tif 000019
【図１８】
2008139757.tif 000020
【図１９】
2008139757.tif 000021
【図２０】
2008139757.tif 000022
【図２１】
2008139757.tif 000023
【図２２】
2008139757.tif 000024
【図２３】
2008139757.tif 000025
【図２４】
2008139757.tif 000026
【図２５】
2008139757.tif 000027
【図２６】
2008139757.tif 000028
【図２７】
2008139757.tif 000029
【図２８】
2008139757.tif 000030
【図２９】
2008139757.tif 000031
【図３０】
2008139757.tif 000032
【図３１】
2008139757.tif 000033
【図３２】
2008139757.tif 000034
【図３３】
2008139757.tif 000035
【図３４】
2008139757.tif 000036
【図３５】
2008139757.tif 000037
【図３６】
2008139757.tif 000038
【図３７】
2008139757.tif 000039
【国際調査報告】
2008139757.tif 000040
2008139757.tif 000041
2008139757.tif 000042
2008139757.tif 000043